(57)【要約】  プラズマディスプレイパネルに立体画像を表示する際に、クロストークを低減し良好な画像表示品質を実現する。そのために、書込み期間と維持期間とを有するサブフィールドを複数用いて１フィールドを構成し、画像信号にもとづき放電セルにサブフィールド毎の発光・非発光を示す画像データを設定するとともに、右目用画像信号を表示する右目用フィールドと左目用画像信号を表示する左目用フィールドとを交互に繰り返してプラズマディスプレイパネルに画像を表示するプラズマディスプレイ装置の駆動方法において、あらかじめ定められた閾値以上の階調を表示する放電セルには、右目用フィールドおよび左目用フィールドの最後に発生するサブフィールドで書込み動作を禁止した画像データを設定する。
2011132430.tif 000002
【特許請求の範囲】
【請求項１】
走査電極と維持電極とデータ電極とを有する放電セルを複数配列したプラズマディスプレイパネルと、
前記プラズマディスプレイパネルを駆動する駆動回路とを備え、
画像信号に応じて前記放電セルに書込み放電を発生する書込み動作を行う書込み期間と、前記書込み放電を発生した放電セルに輝度重みに応じた数の維持放電を発生する維持期間とを有するサブフィールドを複数用いて１フィールドを構成し、画像信号にもとづき前記放電セルにサブフィールド毎の発光・非発光を示す画像データを設定するとともに、右目用画像信号および左目用画像信号を有する画像信号にもとづき前記右目用画像信号を表示する右目用フィールドと前記左目用画像信号を表示する左目用フィールドとを交互に繰り返して前記プラズマディスプレイパネルに画像を表示するプラズマディスプレイ装置の駆動方法であって、
あらかじめ定められた閾値以上の階調を表示する放電セルには、前記右目用フィールドおよび前記左目用フィールドの最後に発生するサブフィールドで書込み動作を禁止した画像データを設定する
ことを特徴とするプラズマディスプレイ装置の駆動方法。
【請求項２】
前記放電セルに前記画像データを設定する際には、前記放電セルに隣接する放電セルにおける画像信号の大きさに応じて前記閾値を変更し、
前記隣接する放電セルにおける画像信号の大きさが大きいほど、前記閾値を小さくする
ことを特徴とする請求項１に記載のプラズマディスプレイ装置の駆動方法。
【請求項３】
１画素を構成する互いに異なる色で発光する複数の放電セルのうち、残光時間が最も長い蛍光体を有する放電セルには前記閾値を設定したコーディングテーブルにもとづき画像データを設定し、残光時間が最も短い蛍光体を有する放電セルには前記閾値を設定しないコーディングテーブルにもとづき画像データを設定する
ことを特徴とする請求項１に記載のプラズマディスプレイ装置の駆動方法。
【請求項４】
前記右目用フィールドおよび前記左目用フィールドにおいては、それぞれのフィールドの最初に発生するサブフィールドを輝度重みの最も大きいサブフィールドとし、２番目以降に発生するサブフィールドは輝度重みが順次小さくなるように各サブフィールドに輝度重みを設定し、フィールドの最後に発生するサブフィールドを最も輝度重みが小さいサブフィールドとする
ことを特徴とする請求項１に記載のプラズマディスプレイ装置の駆動方法。
【請求項５】
前記右目用フィールドおよび前記左目用フィールドにおいては、それぞれのフィールドの最初に発生するサブフィールドを輝度重みの最も小さいサブフィールドとし、２番目に発生するサブフィールドを輝度重みの最も大きいサブフィールドとし、３番目以降に発生するサブフィールドは輝度重みが順次小さくなるように各サブフィールドに輝度重みを設定する
ことを特徴とする請求項１に記載のプラズマディスプレイ装置の駆動方法。
【請求項６】
走査電極と維持電極とデータ電極とを有する放電セルを複数配列したプラズマディスプレイパネルと、
前記プラズマディスプレイパネルを駆動する駆動回路とを備え、
前記駆動回路は、
画像信号に応じて前記放電セルに書込み放電を発生する書込み動作を行う書込み期間と、前記書込み放電を発生した放電セルに輝度重みに応じた数の維持放電を発生する維持期間とを有するサブフィールドを複数用いて１フィールドを構成し、画像信号にもとづき前記放電セルにサブフィールド毎の発光・非発光を示す画像データを設定するとともに、右目用画像信号および左目用画像信号を有する画像信号にもとづき前記右目用画像信号を表示する右目用フィールドと前記左目用画像信号を表示する左目用フィールドとを交互に繰り返して前記プラズマディスプレイパネルに画像を表示し、
あらかじめ定められた閾値以上の階調を表示する放電セルには、前記右目用フィールドおよび前記左目用フィールドの最後に発生するサブフィールドで書込み動作を禁止した画像データを設定する
ことを特徴とするプラズマディスプレイ装置。
【請求項７】
走査電極と維持電極とデータ電極とを有する放電セルを複数配列したプラズマディスプレイパネルと、右目用フィールドおよび左目用フィールドに同期したシャッタ開閉用タイミング信号を出力するタイミング信号出力部を備え、前記プラズマディスプレイパネルを駆動する駆動回路とを有するプラズマディスプレイ装置と、
それぞれ独立にシャッタの開閉が可能な右目用シャッタおよび左目用シャッタを有し、前記シャッタ開閉用タイミング信号でシャッタの開閉が制御されるシャッタ眼鏡とを備えたプラズマディスプレイシステムであって、
前記駆動回路は、
画像信号に応じて前記放電セルに書込み放電を発生する書込み動作を行う書込み期間と、前記書込み放電を発生した放電セルに輝度重みに応じた数の維持放電を発生する維持期間とを有するサブフィールドを複数用いて１フィールドを構成し、画像信号にもとづき前記放電セルにサブフィールド毎の発光・非発光を示す画像データを設定するとともに、右目用画像信号および左目用画像信号を有する画像信号にもとづき前記右目用画像信号を表示する右目用フィールドと前記左目用画像信号を表示する左目用フィールドとを交互に繰り返して前記プラズマディスプレイパネルに画像を表示し、
あらかじめ定められた閾値以上の階調を表示する放電セルには、前記右目用フィールドおよび前記左目用フィールドの最後に発生するサブフィールドで書込み動作を禁止した画像データを設定する
ことを特徴とするプラズマディスプレイシステム。
【発明の詳細な説明】
【技術分野】
【０００１】
本発明は、シャッタ眼鏡を用いて立体視することができる右目用画像と左目用画像とを、プラズマディスプレイパネルに交互に表示するプラズマディスプレイ装置の駆動方法、プラズマディスプレイ装置およびプラズマディスプレイシステムに関する。
【背景技術】
【０００２】
プラズマディスプレイパネル（以下、「パネル」と略記する）として代表的な交流面放電型パネルは、対向配置された前面基板と背面基板との間に多数の放電セルが形成されている。前面基板は、１対の走査電極と維持電極とからなる表示電極対が前面側のガラス基板上に互いに平行に複数対形成されている。そして、それら表示電極対を覆うように誘電体層および保護層が形成されている。【０００３】
背面基板は、背面側のガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。【０００４】
そして、表示電極対とデータ電極とが立体交差するように、前面基板と背面基板とを対向配置して密封する。密封された内部の放電空間には、例えば分圧比で５％のキセノンを含む放電ガスを封入し、表示電極対とデータ電極とが対向する部分に放電セルを形成する。このような構成のパネルにおいて、各放電セル内でガス放電により紫外線を発生し、この紫外線で赤色（Ｒ）、緑色（Ｇ）および青色（Ｂ）の各色の蛍光体を励起発光してカラーの画像表示を行う。【０００５】
パネルを駆動する方法としては一般にサブフィールド法が用いられている。サブフィールド法では、１フィールドを複数のサブフィールドに分割し、それぞれのサブフィールドで各放電セルを発光または非発光にすることにより階調表示を行う。各サブフィールドは、初期化期間、書込み期間および維持期間を有する。【０００６】
初期化期間では、各走査電極に初期化波形を印加し、各放電セルで初期化放電を発生する初期化動作を行う。これにより、各放電セルにおいて、続く書込み動作のために必要な壁電荷を形成するとともに、書込み放電を安定して発生するためのプライミング粒子（放電を発生させるための励起粒子）を発生する。【０００７】
初期化動作には、直前のサブフィールドの動作にかかわらず各放電セルに初期化放電を発生する強制初期化動作と、直前のサブフィールドで書込み放電を行った放電セルだけに初期化放電を発生する選択初期化動作がある。【０００８】
書込み期間では、走査電極に走査パルスを順次印加するとともに、データ電極には表示すべき画像信号にもとづき選択的に書込みパルスを印加する。これにより、発光を行うべき放電セルの走査電極とデータ電極との間に書込み放電を発生し、その放電セル内に壁電荷を形成する（以下、これらの動作を総称して「書込み」とも記す）。【０００９】
維持期間では、サブフィールド毎に定められた輝度重みにもとづく数の維持パルスを走査電極と維持電極とからなる表示電極対に交互に印加する。これにより、書込み放電を発生した放電セルで維持放電を発生し、その放電セルの蛍光体層を発光させる（以下、放電セルを維持放電により発光させることを「点灯」、発光させないことを「非点灯」とも記す）。これにより、各放電セルを、輝度重みに応じた輝度で発光させる。この維持放電による蛍光体層の発光は階調表示に関係する発光であり、強制初期化動作にともなう発光は階調表示に関係しない発光である。【００１０】
このようにして、パネルの各放電セルを画像信号の階調値に応じた輝度で発光させて、パネルの画像表示領域に画像を表示する。【００１１】
パネルにおける画像表示品質を高める上で重要な要因の１つにコントラストの向上がある。そして、サブフィールド法の１つとして、階調表示に関係しない発光を極力減らし、最も低い階調である黒を表示する際の輝度を下げ、コントラスト比を向上させる駆動方法が開示されている。【００１２】
この駆動方法では、緩やかに変化する傾斜波形電圧を用いて強制初期化動作を行う。そして、１フィールドを構成する複数のサブフィールドのうち、１つのサブフィールドの初期化期間では強制初期化動作を行い、他のサブフィールドの初期化期間では選択初期化動作を行う。こうして、強制初期化動作を行う回数を１フィールドに１回にする。【００１３】
維持放電を発生しない黒を表示する領域の輝度（以下、「黒輝度」と略記する）は画像の表示に関係のない発光、例えば、初期化放電によって生じる発光等によって変化する。そして、上述の駆動方法では、黒を表示する領域における発光は全ての放電セルに初期化動作を行うときの微弱発光だけとなる。これにより、黒輝度を低減してコントラストの高い画像を表示することが可能になる（例えば、特許文献１参照）。【００１４】
また、立体視が可能な立体（３Ｄｉｍｅｎｓｉｏｎ）画像をパネルに表示し、立体画像表示装置としてプラズマディスプレイ装置を用いることが検討されている。【００１５】
１枚の立体画像は、１枚の右目用画像と１枚の左目用画像とで構成されている。そして、このプラズマディスプレイ装置では、立体画像をパネルに表示する際には、右目用画像と左目用画像とをパネルに交互に表示する。【００１６】
このような方法によってパネルに表示される立体画像を立体視するためには、使用者は、右目では右目用画像だけを見て、左目では左目用画像画像だけを見る必要がある。そのために、使用者は、シャッタ眼鏡と呼ばれる特殊な眼鏡を用いて、パネルに表示される立体画像を観賞する。【００１７】
シャッタ眼鏡は、右目用のシャッタと左目用のシャッタとを備え、パネルに右目用画像が表示されている期間は右目用のシャッタを開く（可視光を透過する状態のこと）とともに左目用のシャッタを閉じ（可視光を遮断する状態のこと）、左目用画像が表示されている期間は左目用のシャッタを開くとともに右目用のシャッタを閉じる。このように、シャッタ眼鏡は、右目用画像を表示するフィールドと左目用画像を表示するフィールドとのそれぞれに同期して左右のシャッタが交互に開閉する。【００１８】
これにより、使用者は、右目用画像を右目だけで観測し、左目用画像を左目だけで観測することができるので、パネルに表示される立体画像を立体視することができる。【００１９】
１枚の立体画像は、１枚の右目用画像と１枚の左目用画像とで構成されるので、立体画像をパネルに表示する際は、単位時間（例えば、１秒間）にパネルに表示される画像の半分が右目用画像となり、残りの半分が左目用画像となる。したがって、１秒間にパネルに表示される立体画像の数は、フィールド周波数（１秒間に表示されるフィールドの数）の半分となる。そして、単位時間にパネルに表示される画像の数が少なくなると、フリッカと呼ばれる画像のちらつきが見えやすくなる。【００２０】
立体画像でない画像、すなわち、右目用、左目用の区別がない通常画像（以下、「２Ｄ画像」と記す）をパネルに表示する際は、例えば、フィールド周波数が６０Ｈｚであれば、１秒間に６０枚の画像がパネルに表示される。したがって、単位時間にパネルに表示される立体画像の数を２Ｄ画像と同じ（例えば、６０枚／秒）にするためには、立体画像のフィールド周波数を２Ｄ画像の２倍（例えば、１２０Ｈｚ）に設定する必要がある。【００２１】
そして、プラズマディスプレイ装置を用いて立体画像を立体視する方法の１つとして、複数のサブフィールドを、右目用画像を表示するサブフィールド群と左目用画像を表示するサブフィールド群とに分け、それぞれのサブフィールド群の最初のサブフィールドの書込み期間の開始に同期してシャッタ眼鏡のシャッタを開閉する方法が開示されている（例えば、特許文献２参照）。【００２２】
一方、パネルに用いられている蛍光体は、蛍光体の材料に依存した残光特性を有する。この残光とは、放電セルにおいて放電が終了した後も蛍光体が発光を持続する現象のことである。そして、維持放電を終了した後も数ｍｓｅｃの間は残光が持続するという特性を有する蛍光体材料も存在する。【００２３】
そのため、例えば、右目用画像（または左目用画像）を表示する期間が終了した後も、残光時間に応じて右目用画像（または左目用画像）が残像としてパネルに表示されることになる。なお、残像とは、１枚の画像を表示する期間が終了した後も、残光により、その画像がパネルに表示される現象のことである。また、残光時間とは、残光が十分に低下するまでの時間のことである。【００２４】
そして、右目用画像の残像が消える前に左目用画像をパネルに表示すると、左目用画像に右目用画像が混入する現象が生じる。同様に、左目用画像の残像が消える前に右目用画像をパネルに表示すると、右目用画像に左目用画像が混入する現象が生じる。以下、このような現象を「クロストーク」と記す。そして、クロストークが発生すると、立体画像としての品質が低下する。
【先行技術文献】
【特許文献】
【００２５】
【特許文献１】特開２０００−２４２２２４号公報
【特許文献２】特開２０００−１１２４２８号公報
【発明の概要】
【００２６】
本発明は、走査電極と維持電極とデータ電極とを有する放電セルを複数配列したパネルと、パネルを駆動する駆動回路とを備え、画像信号に応じて放電セルに書込み放電を発生する書込み動作を行う書込み期間と、書込み放電を発生した放電セルに輝度重みに応じた数の維持放電を発生する維持期間とを有するサブフィールドを複数用いて１フィールドを構成し、画像信号にもとづき放電セルにサブフィールド毎の発光・非発光を示す画像データを設定するとともに、右目用画像信号および左目用画像信号を有する画像信号にもとづき右目用画像信号を表示する右目用フィールドと左目用画像信号を表示する左目用フィールドとを交互に繰り返してパネルに画像を表示するプラズマディスプレイ装置の駆動方法であって、あらかじめ定められた閾値以上の階調を表示する放電セルには、右目用フィールドおよび左目用フィールドの最後に発生するサブフィールドで書込み動作を禁止した画像データを設定することを特徴とする。
【００２７】
これにより、右目用画像と左目用画像との間に生じるクロストークを抑制し、品質の高い立体画像をパネルに表示することが可能となる。
【００２８】
また、本発明のプラズマディスプレイ装置の駆動方法においては、放電セルに画像データを設定する際には、その放電セルに隣接する放電セルにおける画像信号の大きさに応じて閾値を変更し、隣接する放電セルにおける画像信号の大きさが大きいほど、閾値を小さくすることが望ましい。
【００２９】
また、本発明のプラズマディスプレイ装置の駆動方法においては、１画素を構成する互いに異なる色で発光する複数の放電セルのうち、残光時間が最も長い蛍光体を有する放電セルには上述した閾値を設定したコーディングテーブルにもとづき画像データを設定し、残光時間が最も短い蛍光体を有する放電セルには上述した閾値を設定しないコーディングテーブルにもとづき画像データを設定してもよい。
【００３０】
また、本発明のプラズマディスプレイ装置の駆動方法においては、右目用フィールドおよび左目用フィールドにおいて、それぞれのフィールドの最初に発生するサブフィールドを輝度重みの最も大きいサブフィールドとし、２番目以降に発生するサブフィールドは輝度重みが順次小さくなるように各サブフィールドに輝度重みを設定し、フィールドの最後に発生するサブフィールドを最も輝度重みが小さいサブフィールドとしてもよい。
【００３１】
また、本発明のプラズマディスプレイ装置の駆動方法においては、右目用フィールドおよび左目用フィールドにおいて、それぞれのフィールドの最初に発生するサブフィールドを輝度重みの最も小さいサブフィールドとし、２番目に発生するサブフィールドを輝度重みの最も大きいサブフィールドとし、３番目以降に発生するサブフィールドは輝度重みが順次小さくなるように各サブフィールドに輝度重みを設定してもよい。
【００３２】
また、本発明は、走査電極と維持電極とデータ電極とを有する放電セルを複数配列したパネルと、パネルを駆動する駆動回路とを備えたプラズマディスプレイ装置であって、駆動回路は、画像信号に応じて放電セルに書込み放電を発生する書込み動作を行う書込み期間と、書込み放電を発生した放電セルに輝度重みに応じた数の維持放電を発生する維持期間とを有するサブフィールドを複数用いて１フィールドを構成し、画像信号にもとづき放電セルにサブフィールド毎の発光・非発光を示す画像データを設定するとともに、右目用画像信号および左目用画像信号を有する画像信号にもとづき右目用画像信号を表示する右目用フィールドと左目用画像信号を表示する左目用フィールドとを交互に繰り返してパネルに画像を表示し、あらかじめ定められた閾値以上の階調を表示する放電セルには、右目用フィールドおよび左目用フィールドの最後に発生するサブフィールドで書込み動作を禁止した画像データを設定することを特徴とする。
【００３３】
これにより、右目用画像と左目用画像との間に生じるクロストークを抑制し、品質の高い立体画像をパネルに表示することが可能となる。
【００３４】
また、本発明は、プラズマディスプレイ装置と、シャッタ眼鏡とを備えたプラズマディスプレイシステムである。プラズマディスプレイ装置は、走査電極と維持電極とデータ電極とを有する放電セルを複数配列したパネルと、右目用フィールドおよび左目用フィールドに同期したシャッタ開閉用タイミング信号を出力するタイミング信号出力部を備えてパネルを駆動する駆動回路とを有する。シャッタ眼鏡は、それぞれ独立にシャッタの開閉が可能な右目用シャッタおよび左目用シャッタを有し、シャッタ開閉用タイミング信号でシャッタの開閉が制御される。そして、駆動回路は、画像信号に応じて放電セルに書込み放電を発生する書込み動作を行う書込み期間と、書込み放電を発生した放電セルに輝度重みに応じた数の維持放電を発生する維持期間とを有するサブフィールドを複数用いて１フィールドを構成し、画像信号にもとづき放電セルにサブフィールド毎の発光・非発光を示す画像データを設定するとともに、右目用画像信号および左目用画像信号を有する画像信号にもとづき右目用画像信号を表示する右目用フィールドと左目用画像信号を表示する左目用フィールドとを交互に繰り返してパネルに画像を表示し、あらかじめ定められた閾値以上の階調を表示する放電セルには、右目用フィールドおよび左目用フィールドの最後に発生するサブフィールドで書込み動作を禁止した画像データを設定する。
【００３５】
これにより、右目用画像と左目用画像との間に生じるクロストークを抑制し、品質の高い立体画像をパネルに表示することが可能となる。
【図面の簡単な説明】
【００３６】
【図１】図１は、本発明の実施の形態１におけるプラズマディスプレイ装置に用いるパネルの構造を示す分解斜視図である。
【図２】図２は、本発明の実施の形態１におけるプラズマディスプレイ装置に用いるパネルの電極配列図である。
【図３】図３は、本発明の実施の形態１におけるプラズマディスプレイ装置の回路ブロックおよびプラズマディスプレイシステムの概要を概略的に示す図である。
【図４】図４は、本発明の実施の形態１におけるプラズマディスプレイ装置に用いるパネルの各電極に印加する駆動電圧波形を概略的に示す図である。
【図５】図５は、本発明の実施の形態１におけるプラズマディスプレイ装置に用いるパネルの各電極に印加する駆動電圧波形およびシャッタ眼鏡の開閉動作を概略的に示す波形図である。
【図６】図６は、本発明の実施の形態１におけるプラズマディスプレイ装置において立体画像を表示する際に短残光蛍光体を用いた蛍光体層を有する放電セルに用いるコーディングテーブルの一例を示す図である。
【図７Ａ】図７Ａは、本発明の実施の形態１におけるプラズマディスプレイ装置において立体画像を表示する際に長残光蛍光体を用いた蛍光体層を有する放電セルに用いるコーディングテーブルの一例を示す図である。
【図７Ｂ】図７Ｂは、本発明の実施の形態１におけるプラズマディスプレイ装置において立体画像を表示する際に長残光蛍光体を用いた蛍光体層を有する放電セルに用いるコーディングテーブルの他の一例を示す図である。
【図７Ｃ】図７Ｃは、本発明の実施の形態１におけるプラズマディスプレイ装置において立体画像を表示する際に長残光蛍光体を用いた蛍光体層を有する放電セルに用いるコーディングテーブルのさらに他の一例を示す図である。
【図８】図８は、本発明の実施の形態１におけるプラズマディスプレイ装置に用いる画像信号処理回路の一部を概略的に示す図である。
【図９】図９は、本発明の実施の形態２におけるプラズマディスプレイ装置に用いるパネルの各電極に印加する駆動電圧波形およびシャッタ眼鏡の開閉動作を概略的に示す波形図である。
【図１０】図１０は、本発明の実施の形態２におけるプラズマディスプレイ装置において立体画像を表示する際に用いるコーディングの一例を示す図である。
【図１１】図１１は、本発明の実施の形態２におけるプラズマディスプレイ装置において立体画像を表示する際に用いるコーディングの他の例を示す図である。
【発明を実施するための形態】
【００３７】
以下、本発明の実施の形態におけるプラズマディスプレイ装置およびプラズマディスプレイシステムについて、図面を用いて説明する。
【００３８】
（実施の形態１）
図１は、本発明の実施の形態１におけるプラズマディスプレイ装置に用いるパネル１０の構造を示す分解斜視図である。ガラス製の前面基板２１上には、走査電極２２と維持電極２３とからなる表示電極対２４が複数形成されている。そして、走査電極２２と維持電極２３とを覆うように誘電体層２５が形成され、その誘電体層２５上に保護層２６が形成されている。
【００３９】
この保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れた酸化マグネシウム（ＭｇＯ）を主成分とする材料で形成されている。
【００４０】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）に発光する蛍光体層３５Ｒ、緑色（Ｇ）に発光する蛍光体層３５Ｇ、および青色（Ｂ）に発光する蛍光体層３５Ｂが設けられている。以下、蛍光体層３５Ｒ、蛍光体層３５Ｇ、蛍光体層３５Ｂをまとめて蛍光体層３５とも記す。
【００４１】
本実施の形態においては、青色蛍光体としてＢａＭｇＡｌ１０Ｏ１７：Ｅｕを用い、緑色蛍光体としてＺｎ２ＳｉＯ４：Ｍｎを用い、赤色蛍光体として（Ｙ、Ｇｄ）ＢＯ３：Ｅｕを用いている。しかし、本発明は蛍光体層３５を形成する蛍光体が何ら上述の蛍光体に限定されるものではない。
【００４２】
なお、蛍光体の残光が減衰する時間を表す時定数は、蛍光体材料により異なるが、青色蛍光体が１ｍｓｅｃ以下、緑色蛍光体が２ｍｓｅｃ〜５ｍｓｅｃ程度、赤色蛍光体が３ｍｓｅｃ〜４ｍｓｅｃ程度である。例えば、本実施の形態において、蛍光体層３５Ｂの時定数は約０．１ｍｓｅｃ程度であり、蛍光体層３５Ｇおよび蛍光体層３５Ｒの時定数は約２〜３ｍｓｅｃ程度である。なお、この時定数は、放電終了後、放電発生時の発光輝度（ピーク輝度）からピーク輝度の１０％程度まで残光が減衰するのに要する時間とする。
【００４３】
これら前面基板２１と背面基板３１とを、微小な放電空間を挟んで表示電極対２４とデータ電極３２とが交差するように対向配置する。そして、その外周部をガラスフリット等の封着材によって封着する。そして、その内部の放電空間には、例えばネオンとキセノンの混合ガスを放電ガスとして封入する。
【００４４】
放電空間は隔壁３４によって複数の区画に仕切られており、表示電極対２４とデータ電極３２とが交差する部分に放電セルが形成されている。
【００４５】
そして、これらの放電セルで放電を発生し、放電セルの蛍光体層３５を発光（放電セルを点灯）することにより、パネル１０にカラーの画像を表示する。
【００４６】
なお、パネル１０においては、表示電極対２４が延伸する方向に配列された連続する３つの放電セル、すなわち、赤色（Ｒ）に発光する放電セルと、緑色（Ｇ）に発光する放電セルと、青色（Ｂ）に発光する放電セルの３つの放電セルで１つの画素が構成される。
【００４７】
なお、パネル１０の構造は上述したものに限られるわけではなく、例えば背面基板３１はストライプ状の隔壁を備えたものであってもよい。
【００４８】
図２は、本発明の実施の形態１におけるプラズマディスプレイ装置に用いるパネル１０の電極配列図である。パネル１０には、水平方向（行方向）に延長されたｎ本の走査電極ＳＣ１〜走査電極ＳＣｎ（図１の走査電極２２）およびｎ本の維持電極ＳＵ１〜維持電極ＳＵｎ（図１の維持電極２３）が配列され、垂直方向（列方向）に延長されたｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成される。すなわち、１対の表示電極対２４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３となり、ｎ＝１０８０となる。
【００４９】
そして、例えば、データ電極Ｄｐ（ｐ＝３×ｑ−２  ：  ｑはｍ／３以下の０を除く整数）を有する放電セルには赤の蛍光体が蛍光体層３５Ｒとして塗布され、データ電極Ｄｐ＋１を有する放電セルには緑の蛍光体が蛍光体層３５Ｇとして塗布され、データ電極Ｄｐ＋２を有する放電セルには青の蛍光体が蛍光体層３５Ｂとして塗布されている。
【００５０】
図３は、本発明の実施の形態１におけるプラズマディスプレイ装置４０の回路ブロックおよびプラズマディスプレイシステムの概要を概略的に示す図である。本実施の形態に示すプラズマディスプレイシステムは、プラズマディスプレイ装置４０とシャッタ眼鏡４８とを構成要素に含む。
【００５１】
プラズマディスプレイ装置４０は、走査電極２２と維持電極２３とデータ電極３２とを有する放電セルを複数配列したパネル１０と、パネル１０を駆動する駆動回路とを備えている。駆動回路は、画像信号処理回路４１、データ電極駆動回路４２、走査電極駆動回路４３、維持電極駆動回路４４、タイミング信号発生回路４５、および各回路ブロックに必要な電源を供給する電源回路（図示せず）を備えている。
【００５２】
駆動回路は、立体画像信号にもとづき右目用フィールドと左目用フィールドとを交互に繰り返してパネル１０に立体画像を表示する３Ｄ駆動と、右目用、左目用の区別がない２Ｄ画像信号にもとづきパネル１０に２Ｄ画像を表示する２Ｄ駆動とのいずれかでパネル１０を駆動する。
【００５３】
また、本実施の形態におけるプラズマディスプレイシステムは、プラズマディスプレイ装置４０と、シャッタ眼鏡４８とを有する。そして、プラズマディスプレイ装置４０は、シャッタ眼鏡４８のシャッタの開閉を制御するシャッタ開閉用タイミング信号をシャッタ眼鏡４８に出力するタイミング信号出力部４６を備えている。
【００５４】
シャッタ眼鏡４８は、立体画像をパネル１０に表示するときに使用者が使用するものであり、使用者はパネル１０に表示された立体画像をシャッタ眼鏡４８を通して観賞することで立体画像を立体視することができる。
【００５５】
画像信号処理回路４１は、２Ｄ画像信号または立体画像信号が入力され、入力された画像信号にもとづき、各放電セルに階調値を設定する。そして、その階調値を、サブフィールド毎の発光・非発光を示す画像データ（発光・非発光をデジタル信号の「１」、「０」に対応させたデータのこと）に変換する。すなわち、画像信号処理回路４１は、１フィールド毎の画像信号をサブフィールド毎の発光・非発光を示す画像データに変換する。
【００５６】
画像信号処理回路４１に入力される画像信号は、赤の原色信号ｓｉｇＲ、緑の原色信号ｓｉｇＧ、青の原色信号ｓｉｇＢであり、画像信号処理回路４１は、原色信号ｓｉｇＲ、原色信号ｓｉｇＧ、原色信号ｓｉｇＢにもとづき、各放電セルにＲ、Ｇ、Ｂの各階調値を設定する。なお、画像信号処理回路４１は、入力される画像信号が輝度信号（Ｙ信号）および彩度信号（Ｃ信号、またはＲ−Ｙ信号およびＢ−Ｙ信号、またはｕ信号およびｖ信号等）を含むときには、その輝度信号および彩度信号にもとづき原色信号ｓｉｇＲ、原色信号ｓｉｇＧ、原色信号ｓｉｇＢを算出し、その後、各放電セルにＲ、Ｇ、Ｂの各階調値（１フィールドで表現される階調値）を設定する。そして、各放電セルに設定したＲ、Ｇ、Ｂの階調値を、サブフィールド毎の発光・非発光を示す画像データに変換する。
【００５７】
また、入力される画像信号が、右目用画像信号と左目用画像信号とを有する立体視用の立体画像信号であり、その立体画像信号をパネル１０に表示する際には、右目用画像信号と左目用画像信号とがフィールド毎に交互に画像信号処理回路４１に入力される。したがって、画像信号処理回路４１は、右目用画像信号を右目用画像データに変換し、左目用画像信号を左目用画像データに変換する。
【００５８】
タイミング信号発生回路４５は、入力信号にもとづき２Ｄ画像信号および立体画像信号のいずれがプラズマディスプレイ装置４０に入力されているのかを判別する。そして、その判別結果にもとづき、２Ｄ画像または立体画像をパネル１０に表示するために、各回路ブロックの動作を制御するタイミング信号を発生する。
【００５９】
具体的には、タイミング信号発生回路４５は、入力信号のうちの水平同期信号および垂直同期信号の周波数からプラズマディスプレイ装置４０への入力信号が立体画像信号なのか２Ｄ画像信号なのかを判断する。例えば、水平同期信号が３３．７５ｋＨｚ、垂直同期信号が６０Ｈｚであれば入力信号を２Ｄ画像信号と判断し、水平同期信号が６７．５ｋＨｚ、垂直同期信号が１２０Ｈｚであれば入力信号を立体画像信号と判断する。
【００６０】
そして、タイミング信号発生回路４５は、水平同期信号および垂直同期信号にもとづき、各回路ブロックの動作を制御する各種のタイミング信号を発生する。そして、発生したタイミング信号をそれぞれの回路ブロック（データ電極駆動回路４２、走査電極駆動回路４３、維持電極駆動回路４４、および画像信号処理回路４１等）へ供給する。
【００６１】
また、タイミング信号発生回路４５は、立体画像をパネル１０に表示する際に、シャッタ眼鏡４８のシャッタの開閉を制御するシャッタ開閉用タイミング信号をタイミング信号出力部４６に出力する。なお、タイミング信号発生回路４５は、シャッタ眼鏡４８のシャッタを開く（可視光を透過する状態にする）ときにはシャッタ開閉用タイミング信号をオン（「１」）にし、シャッタ眼鏡４８のシャッタを閉じる（可視光を遮断する状態にする）ときにはシャッタ開閉用タイミング信号をオフ（「０」）にする。
【００６２】
また、シャッタ開閉用タイミング信号は、パネル１０に立体画像の右目用画像信号にもとづく右目用フィールドを表示するときにオンとなり、左目用画像信号にもとづく左目用フィールドを表示するときにオフとなる右目用タイミング信号（右目シャッタ開閉用タイミング信号）と、立体画像の左目用画像信号にもとづく左目用フィールドを表示するときにオンとなり、右目用画像信号にもとづく右目用フィールドを表示するときにオフとなる左目用タイミング信号（左目シャッタ開閉用タイミング信号）とからなる。
【００６３】
なお、本実施の形態において、水平同期信号および垂直同期信号の周波数は、何ら上述した数値に限定されるものではない。また、入力信号に２Ｄ画像信号と立体画像信号とを判別するための判別信号が付加されているときには、タイミング信号発生回路４５は、その判別信号にもとづき、２Ｄ画像信号および立体画像信号のいずれが入力されているのかを判別する構成であってもよい。
【００６４】
走査電極駆動回路４３は、初期化波形発生回路、維持パルス発生回路、走査パルス発生回路（図３には示さず）を備え、タイミング信号発生回路４５から供給されるタイミング信号にもとづいて駆動電圧波形を作成し、走査電極ＳＣ１〜走査電極ＳＣｎのそれぞれに印加する。初期化波形発生回路は、初期化期間に、タイミング信号にもとづいて走査電極ＳＣ１〜走査電極ＳＣｎに印加する初期化波形を発生する。維持パルス発生回路は、維持期間に、タイミング信号にもとづいて走査電極ＳＣ１〜走査電極ＳＣｎに印加する維持パルスを発生する。走査パルス発生回路は、複数の走査電極駆動ＩＣ（走査ＩＣ）を備え、書込み期間に、タイミング信号にもとづいて走査電極ＳＣ１〜走査電極ＳＣｎに印加する走査パルスを発生する。
【００６５】
維持電極駆動回路４４は、維持パルス発生回路、および電圧Ｖｅ１、電圧Ｖｅ２を発生する回路を備え（図３には示さず）、タイミング信号発生回路４５から供給されるタイミング信号にもとづいて駆動電圧波形を作成し、維持電極ＳＵ１〜維持電極ＳＵｎのそれぞれに印加する。維持期間では、タイミング信号にもとづいて維持パルスを発生し、維持電極ＳＵ１〜維持電極ＳＵｎに印加する。
【００６６】
データ電極駆動回路４２は、２Ｄ画像信号にもとづく画像データ、または、立体画像信号にもとづく右目用画像データおよび左目用画像データを構成するサブフィールド毎のデータを、各データ電極Ｄ１〜データ電極Ｄｍに対応する信号に変換する。そして、その信号、およびタイミング信号発生回路４５から供給されるタイミング信号にもとづき、各データ電極Ｄ１〜データ電極Ｄｍを駆動する。書込み期間では書込みパルスを発生し、各データ電極Ｄ１〜データ電極Ｄｍに印加する。
【００６７】
タイミング信号出力部４６は、ＬＥＤ（Ｌｉｇｈｔ  Ｅｍｉｔｔｉｎｇ  Ｄｉｏｄｅ）等の発光素子を有する。そして、シャッタ開閉用タイミング信号を、例えば赤外線の信号に変換してシャッタ眼鏡４８に供給する。
【００６８】
シャッタ眼鏡４８は、タイミング信号出力部４６から出力される信号（例えば赤外線の信号）を受信する信号受信部と（図示せず）、右目用シャッタ４９Ｒおよび左目用シャッタ４９Ｌとを有する。右目用シャッタ４９Ｒおよび左目用シャッタ４９Ｌは、それぞれ独立にシャッタの開閉が可能である。そして、シャッタ眼鏡４８は、タイミング信号出力部４６から供給されるシャッタ開閉用タイミング信号にもとづいて右目用シャッタ４９Ｒおよび左目用シャッタ４９Ｌを開閉する。
【００６９】
右目用シャッタ４９Ｒは、右目用タイミング信号がオンのときには開き（可視光を透過し）、オフのときには閉じる（可視光を遮断する）。左目用シャッタ４９Ｌは、左目用タイミング信号がオンのときには開き（可視光を透過し）、オフのときには閉じる（可視光を遮断する）。
【００７０】
右目用シャッタ４９Ｒおよび左目用シャッタ４９Ｌは、例えば液晶を用いて構成されているが、本発明は、シャッタを構成する材料が何ら液晶に限定されるものではない。可視光の遮断と透過とを高速に切り換えることができるものであればどのような材料を用いてシャッタを構成してもかまわない。
【００７１】
次に、パネル１０を駆動するための駆動電圧波形とその動作の概要について説明する。
【００７２】
本実施の形態におけるプラズマディスプレイ装置４０は、サブフィールド法によってパネル１０を駆動する。サブフィールド法では、１フィールドを時間軸上で複数のサブフィールドに分割し、各サブフィールドに輝度重みをそれぞれ設定する。したがって、各フィールドはそれぞれ複数のサブフィールドを有する。そして、それぞれのサブフィールドは初期化期間、書込み期間および維持期間を有する。そして、サブフィールド毎に各放電セルの発光・非発光を制御することによってパネル１０に画像を表示する。
【００７３】
輝度重みとは、各サブフィールドで表示する輝度の大きさの比を表すものであり、各サブフィールドでは輝度重みに応じた数の維持パルスを維持期間に発生する。そのため、例えば、輝度重み「８」のサブフィールドは、輝度重み「１」のサブフィールドの約８倍の輝度で発光し、輝度重み「２」のサブフィールドの約４倍の輝度で発光する。したがって、画像信号に応じた組み合わせで各サブフィールドを選択的に発光させることによって、パネル１０に様々な階調を表示し、画像を表示することができる。
【００７４】
なお、本実施の形態において、プラズマディスプレイ装置４０に入力される画像信号は、右目用画像信号と左目用画像信号とをフィールド毎に交互に繰り返す立体視用の画像信号である。そして、右目用画像信号を表示する右目用フィールドと、左目用画像信号を表示する左目用フィールドとを交互に繰り返してパネル１０に表示することで、右目用画像および左目用画像からなる立体視用の画像（立体画像）がパネル１０に表示される。
【００７５】
そのため、単位時間（例えば、１秒間）に表示される立体画像の枚数は、フィールド周波数（１秒間に発生するフィールドの数）の半分となる。例えば、フィールド周波数が６０Ｈｚであれば、１秒間に表示される右目用画像および左目用画像はそれぞれ３０枚ずつとなるため、１秒間に３０枚の立体画像が表示されることになる。そこで、本実施の形態では、フィールド周波数を通常の２倍（例えば、１２０Ｈｚ）に設定し、フィールド周波数が低い画像を表示する際に発生しやすい画像のちらつき（フリッカ）を低減している。
【００７６】
そして、使用者は、パネル１０に表示される立体画像を、右目用フィールドおよび左目用フィールドに同期して右目用シャッタ４９Ｒおよび左目用シャッタ４９Ｌをそれぞれ独立に開閉するシャッタ眼鏡４８を通して観賞する。これにより、使用者は、右目用画像を右目だけで観測し、左目用画像を左目だけで観測することができるので、パネル１０に表示される立体画像を立体視することができる。
【００７７】
なお、右目用フィールドと左目用フィールドとは、表示する画像信号が異なるだけであり、１つのフィールドを構成するサブフィールドの数、各サブフィールドの輝度重み、サブフィールドの配列等のフィールドの構成は同じである。そこで、以下、「右目用」および「左目用」の区別が必要ない場合には、右目用フィールドおよび左目用フィールドを単にフィールドと略記する。また、右目用画像信号および左目用画像信号を単に画像信号と略記する。また、フィールドの構成のことを、サブフィールド構成とも記す。
【００７８】
まず、１つのフィールドの構成と各電極に印加する駆動電圧波形について説明する。右目用フィールドおよび左目用フィールドの各フィールドは複数のサブフィールドを有し、それぞれのサブフィールドは、初期化期間と、書込み期間と、維持期間とを有する。
【００７９】
初期化期間では、放電セルに初期化放電を発生し、続く書込み期間における書込み放電に必要な壁電荷を各電極上に形成する初期化動作を行う。初期化動作には、直前のサブフィールドの動作にかかわらず放電セルに初期化放電を発生する強制初期化動作と、直前のサブフィールドの書込み期間に書込み放電を発生し維持期間に維持放電を発生した放電セルだけに選択的に初期化放電を発生する選択初期化動作とがある。
【００８０】
強制初期化動作では上昇する傾斜波形電圧および下降する傾斜波形電圧を走査電極２２に印加し、画像表示領域内の全ての放電セルに初期化放電を発生する。そして、複数のサブフィールドのうち、１つのサブフィールドの初期化期間においては強制初期化動作を行い、他のサブフィールドの初期化期間においては選択初期化動作を行う。以下、強制初期化動作を行う初期化期間を「強制初期化期間」と記し、強制初期化期間を有するサブフィールドを「強制初期化サブフィールド」と記す。また、選択初期化動作を行う初期化期間を「選択初期化期間」と記し、選択初期化期間を有するサブフィールドを「選択初期化サブフィールド」と記す。
【００８１】
書込み期間では、走査電極２２に走査パルスを印加するとともにデータ電極３２に選択的に書込みパルスを印加し、発光するべき放電セルに選択的に書込み放電を発生する書込み動作を行い、続く維持期間で維持放電を発生するための壁電荷をその放電セル内に形成する。
【００８２】
維持期間では、それぞれのサブフィールドの輝度重みに所定の比例定数を乗じた数の維持パルスを走査電極２２および維持電極２３に交互に印加する。この比例定数が輝度倍率である。例えば、輝度倍率が２倍のとき、輝度重み「２」のサブフィールドの維持期間では、走査電極２２と維持電極２３とにそれぞれ４回ずつ維持パルスを印加する。そのため、その維持期間で発生する維持パルスの数は８となる。そして、直前の書込み期間に書込み放電を発生した放電セルで維持放電を発生し、その放電セルを発光する。そして、放電セルに維持パルスを印加し、その放電を発光させる動作が維持動作である。
【００８３】
なお、本実施の形態において、プラズマディスプレイ装置４０に入力される画像信号は、２Ｄ画像信号、または立体画像信号であり、プラズマディスプレイ装置４０は、それぞれの画像信号に応じてパネル１０を駆動する。以下、立体画像信号がプラズマディスプレイ装置４０に入力されたときにパネル１０の各電極に印加する駆動電圧波形を説明する。
【００８４】
本実施の形態では、１フィールドを５つのサブフィールド（サブフィールドＳＦ１、サブフィールドＳＦ２、・・・、サブフィールドＳＦ５）で構成する例を説明する。
【００８５】
そして、本実施の形態では、各フィールドの先頭サブフィールド（フィールドの最初に発生するサブフィールド）のみを強制初期化サブフィールドとする。すなわち、先頭サブフィールド（サブフィールドＳＦ１）の初期化期間では強制初期化動作を行い、他のサブフィールドの初期化期間では選択初期化動作を行う。これにより、少なくとも１フィールドに１回は全ての放電セルに初期化放電を発生するので、強制初期化動作以降の書込み動作を安定化することができる。また、画像の表示に関係のない発光はサブフィールドＳＦ１における強制初期化動作の放電にともなう発光のみとなる。したがって、維持放電を発生しない黒を表示する領域の輝度である黒輝度は強制初期化動作における微弱発光だけとなり、パネル１０にコントラストの高い画像を表示することが可能となる。
【００８６】
また、各サブフィールドはそれぞれ（１６、８、４、２、１）の輝度重みを有する。このように、本実施の形態では、フィールドの最初に発生するサブフィールドＳＦ１を輝度重みの最も大きいサブフィールドとし、２番目以降に発生するサブフィールドは輝度重みが順次小さくなるように各サブフィールドに輝度重みを設定し、フィールドの最後に発生するサブフィールドＳＦ５を最も輝度重みが小さいサブフィールドとする。このように輝度重みを設定した理由については後述する。
【００８７】
なお、本実施の形態は、１フィールドを構成するサブフィールドの数や各サブフィールドの輝度重みが上述した数値に限定されるものではない。また、画像信号等にもとづいてサブフィールド構成を切り換える構成であってもよい。
【００８８】
図４は、本発明の実施の形態１におけるプラズマディスプレイ装置に用いるパネル１０の各電極に印加する駆動電圧波形を概略的に示す図である。図４には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。また、以下における走査電極ＳＣｉ、維持電極ＳＵｉ、データ電極Ｄｋは、各電極の中から画像データ（サブフィールド毎の発光・非発光を示すデータ）にもとづき選択された電極を表す。
【００８９】
また、図４には、サブフィールドＳＦ１とサブフィールドＳＦ２の２つのサブフィールドの駆動電圧波形を主に示している。
【００９０】
サブフィールドＳＦ１は強制初期化動作を行うサブフィールドであり、サブフィールドＳＦ２は選択初期化動作を行うサブフィールドである。したがって、サブフィールドＳＦ１とサブフィールドＳＦ２とでは、初期化期間に走査電極２２に印加する駆動電圧の波形形状が異なる。なお、他のサブフィールドにおける駆動電圧波形は、維持期間における維持パルスの発生数が異なる以外はサブフィールドＳＦ２の駆動電圧波形とほぼ同様である。
【００９１】
まず、強制初期化サブフィールドであるサブフィールドＳＦ１について説明する。
【００９２】
強制初期化動作を行うサブフィールドＳＦ１の初期化期間の前半部ではデータ電極Ｄ１〜データ電極Ｄｍ、維持電極ＳＵ１〜維持電極ＳＵｎには、それぞれ電圧０（Ｖ）を印加する。走査電極ＳＣ１〜走査電極ＳＣｎには、電圧Ｖｉ１を印加し、電圧Ｖｉ１から電圧Ｖｉ２に向かって緩やかに上昇する傾斜波形電圧を印加する。電圧Ｖｉ１は、維持電極ＳＵ１〜維持電極ＳＵｎに対して放電開始電圧未満の電圧に設定し、電圧Ｖｉ２は、維持電極ＳＵ１〜維持電極ＳＵｎに対して放電開始電圧を超える電圧に設定する。
【００９３】
この傾斜波形電圧が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が持続して発生する。そして、走査電極ＳＣ１〜走査電極ＳＣｎ上に負極性の壁電圧が蓄積され、データ電極Ｄ１〜データ電極Ｄｍ上および維持電極ＳＵ１〜維持電極ＳＵｎ上には正極性の壁電圧が蓄積される。この電極上の壁電圧とは、電極を覆う誘電体層上、保護層上、蛍光体層上等に蓄積された壁電荷により生じる電圧を表す。
【００９４】
サブフィールドＳＦ１の初期化期間後半部では、維持電極ＳＵ１〜維持電極ＳＵｎには正極性の電圧Ｖｅ１を印加し、データ電極Ｄ１〜データ電極Ｄｍには電圧０（Ｖ）を印加する。走査電極ＳＣ１〜走査電極ＳＣｎには、電圧Ｖｉ３から負極性の電圧Ｖｉ４に向かって緩やかに下降する傾斜波形電圧を印加する。電圧Ｖｉ３は、維持電極ＳＵ１〜維持電極ＳＵｎに対して放電開始電圧未満となる電圧に設定し、電圧Ｖｉ４は放電開始電圧を超える電圧に設定する。
【００９５】
この傾斜波形電圧を走査電極ＳＣ１〜走査電極ＳＣｎに印加する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が発生する。そして、走査電極ＳＣ１〜走査電極ＳＣｎ上の負極性の壁電圧および維持電極ＳＵ１〜維持電極ＳＵｎ上の正極性の壁電圧が弱められ、データ電極Ｄ１〜データ電極Ｄｍ上の正極性の壁電圧は書込み動作に適した値に調整される。
【００９６】
以上により、サブフィールドＳＦ１の初期化期間における初期化動作、すなわち、全ての放電セルで強制的に初期化放電を発生する強制初期化動作が終了する。
【００９７】
続くサブフィールドＳＦ１の書込み期間では、維持電極ＳＵ１〜維持電極ＳＵｎに電圧Ｖｅ２を印加し、走査電極ＳＣ１〜走査電極ＳＣｎのそれぞれには電圧Ｖｃを印加する。
【００９８】
次に、最初に書込み動作を行う１行目の走査電極ＳＣ１に負極性の電圧Ｖａの負極性の走査パルスを印加する。そして、データ電極Ｄ１〜データ電極Ｄｍのうちの１行目において発光するべき放電セルのデータ電極Ｄｋに正極性の電圧Ｖｄの書込みパルスを印加する。
【００９９】
電圧Ｖｄの書込みパルスを印加した放電セルのデータ電極Ｄｋと走査電極ＳＣ１との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなる。これにより、データ電極Ｄｋと走査電極ＳＣ１との電圧差が放電開始電圧を超え、データ電極Ｄｋと走査電極ＳＣ１との間に放電が発生する。
【０１００】
また、維持電極ＳＵ１〜維持電極ＳＵｎに電圧Ｖｅ２を印加しているため、維持電極ＳＵ１と走査電極ＳＣ１との電圧差は、外部印加電圧の差である（電圧Ｖｅ２−電圧Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態とすることができる。
【０１０１】
これにより、データ電極Ｄｋと走査電極ＳＣ１との間に発生する放電に誘発されて、データ電極Ｄｋと交差する領域にある維持電極ＳＵ１と走査電極ＳＣ１との間に放電が発生する。こうして、走査パルスと書込みパルスとが同時に印加された放電セル（発光するべき放電セル）に書込み放電が発生し、走査電極ＳＣ１上に正極性の壁電圧が蓄積され、維持電極ＳＵ１上に負極性の壁電圧が蓄積され、データ電極Ｄｋ上にも負極性の壁電圧が蓄積される。
【０１０２】
このようにして、１行目において発光するべき放電セルで書込み放電を発生して各電極上に壁電圧を蓄積する書込み動作を行う。一方、書込みパルスを印加しなかったデータ電極３２と走査電極ＳＣ１との交差部の電圧は放電開始電圧を超えないので、書込み放電は発生しない。
【０１０３】
次に、２行目の走査電極ＳＣ２に走査パルスを印加するとともに、２行目に発光するべき放電セルに対応するデータ電極Ｄｋに書込みパルスを印加し、２行目の放電セルにおける書込み動作を行う。
【０１０４】
以上の書込み動作を、走査電極ＳＣ２、走査電極ＳＣ３、・・・、走査電極ＳＣｎという順番で、ｎ行目の放電セルに至るまで順次行い、サブフィールドＳＦ１の書込み期間が終了する。このようにして、書込み期間では、発光するべき放電セルに選択的に書込み放電を発生し、その放電セルに壁電荷を形成する。
【０１０５】
続くサブフィールドＳＦ１の維持期間では、まず、維持電極ＳＵ１〜維持電極ＳＵｎに電圧０（Ｖ）を印加するとともに走査電極ＳＣ１〜走査電極ＳＣｎに正極性の電圧Ｖｓの維持パルスを印加する。
【０１０６】
この維持パルスの印加により、書込み放電を発生した放電セルでは、走査電極ＳＣｉと維持電極ＳＵｉとの電圧差が、維持パルスの電圧Ｖｓに走査電極ＳＣｉ上の壁電圧と維持電極ＳＵｉ上の壁電圧との差が加算されたものとなる。
【０１０７】
これにより、走査電極ＳＣｉと維持電極ＳＵｉとの電圧差が放電開始電圧を超え、走査電極ＳＣｉと維持電極ＳＵｉとの間に維持放電が発生する。そして、この放電により発生した紫外線により蛍光体層３５Ｒ、蛍光体層３５Ｇ、蛍光体層３５Ｂが発光する。また、この放電により、走査電極ＳＣｉ上に負極性の壁電圧が蓄積され、維持電極ＳＵｉ上に正極性の壁電圧が蓄積される。さらに、データ電極Ｄｋ上にも正極性の壁電圧が蓄積される。一方、書込み期間において書込み放電が発生しなかった放電セルでは維持放電は発生せず、初期化期間の終了時における壁電圧が保たれる。
【０１０８】
続いて、走査電極ＳＣ１〜走査電極ＳＣｎには電圧０（Ｖ）を印加し、維持電極ＳＵ１〜維持電極ＳＵｎには電圧Ｖｓの維持パルスを印加する。直前に維持放電を発生した放電セルでは、維持電極ＳＵｉと走査電極ＳＣｉとの電圧差が放電開始電圧を超える。これにより、再び維持電極ＳＵｉと走査電極ＳＣｉとの間に維持放電が発生し、維持放電が発生した放電セルの蛍光体層３５が発光し、維持電極ＳＵｉ上に負極性の壁電圧が蓄積され、走査電極ＳＣｉ上に正極性の壁電圧が蓄積される。
【０１０９】
以降同様に、走査電極ＳＣ１〜走査電極ＳＣｎと維持電極ＳＵ１〜維持電極ＳＵｎとに、輝度重みに所定の輝度倍率を乗じた数の維持パルスを交互に印加する。こうして表示電極対２４の電極間に電位差を与えることにより、書込み期間において書込み放電を発生した放電セルに維持放電が継続して発生する。
【０１１０】
そして、維持期間における維持パルスの発生後（維持期間の最後）に、維持電極ＳＵ１〜維持電極ＳＵｎおよびデータ電極Ｄ１〜データ電極Ｄｍには電圧０（Ｖ）を印加したまま、電圧０（Ｖ）から電圧Ｖｒに向かって緩やかに上昇する傾斜波形電圧を走査電極ＳＣ１〜走査電極ＳＣｎに印加する。
【０１１１】
走査電極ＳＣ１〜走査電極ＳＣｎへ印加する傾斜波形電圧が放電開始電圧を超えて上昇する間に、維持放電を発生した放電セルに微弱な放電が持続して発生する。この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｋ上の正極性の壁電圧を残したまま、走査電極ＳＣｉおよび維持電極ＳＵｉ上の壁電圧が弱められる。すなわち、放電セル内における不要な壁電荷が消去される。
【０１１２】
走査電極ＳＣ１〜走査電極ＳＣｎに印加する電圧が電圧Ｖｒに到達したら、走査電極ＳＣ１〜走査電極ＳＣｎへの印加電圧を電圧０（Ｖ）まで下降する。こうして、サブフィールドＳＦ１の維持期間における維持動作が終了する。
【０１１３】
以上により、サブフィールドＳＦ１が終了する。
【０１１４】
選択初期化動作を行うサブフィールドＳＦ２の初期化期間では、サブフィールドＳＦ１における初期化期間の前半部を省略した駆動電圧波形を各電極に印加する選択初期化動作を行う。
【０１１５】
サブフィールドＳＦ２の初期化期間では、維持電極ＳＵ１〜維持電極ＳＵｎには電圧Ｖｅ１を印加し、データ電極Ｄ１〜データ電極Ｄｍには電圧０（Ｖ）を印加する。走査電極ＳＣ１〜走査電極ＳＣｎには放電開始電圧未満となる電圧（例えば、電圧０（Ｖ））から負極性の電圧Ｖｉ４に向かって緩やかに下降する傾斜波形電圧を印加する。電圧Ｖｉ４は、維持電極ＳＵ１〜維持電極ＳＵｎに対して放電開始電圧を超える電圧に設定する。
【０１１６】
この傾斜波形電圧を走査電極ＳＣ１〜走査電極ＳＣｎに印加する間に、直前のサブフィールド（図４では、サブフィールドＳＦ１）の維持期間に維持放電を発生した放電セルでは微弱な初期化放電が発生する。そして、この初期化放電により、走査電極ＳＣｉ上および維持電極ＳＵｉ上の壁電圧が弱められる。また、データ電極Ｄｋ上には、直前のサブフィールドの維持期間に発生した維持放電によって十分な正極性の壁電圧が蓄積されているので、この壁電圧の過剰な部分が放電され、データ電極Ｄｋ上の壁電圧は書込み動作に適した壁電圧に調整される。
【０１１７】
一方、直前のサブフィールド（サブフィールドＳＦ１）の維持期間に維持放電を発生しなかった放電セルでは、初期化放電は発生せず、直前のサブフィールドの初期化期間終了時における壁電圧が保たれる。
【０１１８】
このように、サブフィールドＳＦ２における初期化動作は、直前のサブフィールドの書込み期間で書込み動作を行った放電セル、すなわち、直前のサブフィールドの維持期間に維持放電を発生した放電セルで選択的に初期化放電を発生する選択初期化動作となる。
【０１１９】
以上により、サブフィールドＳＦ２の初期化期間における初期化動作、すなわち、選択初期化動作が終了する。
【０１２０】
サブフィールドＳＦ２の書込み期間では、サブフィールドＳＦ１の書込み期間と同様の駆動電圧波形を各電極に印加し、発光するべき放電セルの各電極上に壁電圧を蓄積する書込み動作を行う。
【０１２１】
続く維持期間も、サブフィールドＳＦ１の維持期間と同様に、輝度重みに応じた数の維持パルスを走査電極ＳＣ１〜走査電極ＳＣｎと維持電極ＳＵ１〜維持電極ＳＵｎとに交互に印加し、書込み期間において書込み放電を発生した放電セルに維持放電を発生する。
【０１２２】
サブフィールドＳＦ３以降の各サブフィールドの初期化期間および書込み期間では、各電極に対してサブフィールドＳＦ２の初期化期間および書込み期間と同様の駆動電圧波形を印加する。また、サブフィールドＳＦ３以降の各サブフィールドの維持期間では、維持期間に発生する維持パルスの数を除き、サブフィールドＳＦ２と同様の駆動電圧波形を各電極に印加する。
【０１２３】
以上が、本実施の形態においてパネル１０の各電極に印加する駆動電圧波形の概要である。
【０１２４】
なお、本実施例において各電極に印加する電圧値は、例えば、電圧Ｖｉ１＝１４５（Ｖ）、電圧Ｖｉ２＝３３５（Ｖ）、電圧Ｖｉ３＝１９０（Ｖ）、電圧Ｖｉ４＝−１６０（Ｖ）、電圧Ｖａ＝−１８０（Ｖ）、電圧Ｖｃ＝−３５（Ｖ）、電圧Ｖｓ＝１９０（Ｖ）、電圧Ｖｒ＝１９０（Ｖ）、電圧Ｖｅ１＝１２５（Ｖ）、電圧Ｖｅ２＝１３０（Ｖ）、電圧Ｖｄ＝６０（Ｖ）に設定している。また、電圧Ｖｃは、負極性の電圧Ｖａ＝−１８０（Ｖ）に正極性の電圧Ｖｓｃｎ＝１４５（Ｖ）を重畳する（Ｖｃ＝Ｖａ＋Ｖｓｃｎ）ことで発生することができ、その場合、電圧Ｖｃ＝−３５（Ｖ）となる。
【０１２５】
また、サブフィールドＳＦ１の初期化期間において走査電極ＳＣ１〜走査電極ＳＣｎに印加する上りの傾斜波形電圧はその勾配を１．５（Ｖ／μｓｅｃ）に設定し、下りの傾斜波形電圧はその勾配を−２．５（Ｖ／μｓｅｃ）に設定し、サブフィールドＳＦ２〜サブフィールドＳＦ５の初期化期間において走査電極ＳＣ１〜走査電極ＳＣｎに印加する下りの傾斜波形電圧はその勾配を−２．５（Ｖ／μｓｅｃ）に設定している。また、維持期間における維持パルスの発生後（維持期間の最後）に、走査電極ＳＣ１〜走査電極ＳＣｎに印加する上りの傾斜波形電圧はその勾配を１０（Ｖ／μｓｅｃ）に設定している。
【０１２６】
なお、上述した電圧値や傾斜波形電圧における勾配等の具体的な数値は単なる一例に過ぎず、本発明は、各電圧値や勾配が上述した数値に限定されるものではない。各電圧値や勾配等は、パネルの放電特性やプラズマディスプレイ装置の仕様等にもとづき最適に設定することが望ましい。
【０１２７】
なお、本実施の形態におけるプラズマディスプレイ装置４０は、２Ｄ画像信号によってパネル１０を駆動する際には、１フィールドを８のサブフィールド（サブフィールドＳＦ１、サブフィールドＳＦ２、・・・、サブフィールドＳＦ８）で構成し、サブフィールドＳＦ１〜サブフィールドＳＦ８の各サブフィールドにそれぞれ（１、２、４、８、１６、３２、６４、１２８）の輝度重みを設定するものとする。しかし、各サブフィールドにおいて各電極に印加する駆動電圧波形は、維持期間に発生する維持パルス数が異なる以外は立体画像信号をパネル１０に表示するときと同様であるので、２Ｄ画像信号によってパネル１０を駆動するときの動作の説明は省略する。
【０１２８】
次に、立体画像信号がプラズマディスプレイ装置４０に入力されたときにパネル１０の各電極に印加する駆動電圧波形を、シャッタ眼鏡４８におけるシャッタの開閉動作を交えて説明する。
【０１２９】
図５は、本発明の実施の形態１におけるプラズマディスプレイ装置４０に用いるパネル１０の各電極に印加する駆動電圧波形およびシャッタ眼鏡４８の開閉動作を概略的に示す波形図である。
【０１３０】
図５には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。また、図５には、右目用シャッタ４９Ｒおよび左目用シャッタ４９Ｌの開閉動作を示す。
【０１３１】
立体画像信号は、右目用画像信号と左目用画像信号とをフィールド毎に交互に繰り返す立体視用の画像信号である。そして、プラズマディスプレイ装置４０は、立体画像信号が入力されたときには、右目用画像信号を表示する右目用フィールドと、左目用画像信号を表示する左目用フィールドとを交互に繰り返して右目用画像と左目用画像とを交互にパネル１０に表示する。例えば、図５に示す３つのフィールドのうち、フィールドＦＲ１、フィールドＦＲ２は右目用フィールドであり、右目用画像信号をパネル１０に表示する。フィールドＦＬ１は左目用フィールドであり、左目用画像信号をパネル１０に表示する。こうして、プラズマディスプレイ装置４０は、右目用画像および左目用画像からなる立体視用の立体画像をパネル１０に表示する。
【０１３２】
シャッタ眼鏡４８を通してパネル１０に表示される立体画像を観賞する使用者には、時間的に連続した２つのフィールドで表示される画像（右目用画像および左目用画像）が１枚の立体画像として認識される。そのため、使用者には、単位時間（例えば、１秒間）にパネル１０に表示される立体画像の枚数は、フィールド周波数（１秒間に発生するフィールドの数）の半分の数として観測される。
【０１３３】
例えば、パネルに表示される立体画像のフィールド周波数（１秒間に発生するフィールドの数）が６０Ｈｚであれば、１秒間にパネル１０に表示される右目用画像および左目用画像はそれぞれ３０枚ずつとなるため、使用者には、１秒間に３０枚の立体画像が観測されることになる。したがって、１秒間に６０枚の立体画像を表示するためには、フィールド周波数を６０Ｈｚの２倍の１２０Ｈｚに設定しなければならない。そこで、本実施の形態では、使用者に立体画像の動画像が滑らかに観測されるように、フィールド周波数を通常の２倍（例えば、１２０Ｈｚ）に設定し、フィールド周波数が低い画像を表示する際に発生しやすい画像のちらつき（フリッカ）を低減している。
【０１３４】
右目用フィールド、左目用フィールドの各フィールドは、５つのサブフィールド（サブフィールドＳＦ１、サブフィールドＳＦ２、サブフィールドＳＦ３、サブフィールドＳＦ４、サブフィールドＳＦ５）を有する。またサブフィールドＳＦ１〜サブフィールドＳＦ５の各サブフィールドには、それぞれ（１６、８、４、２、１）の輝度重みが設定されている。また、フィールドの最初に発生するサブフィールドの初期化期間では強制初期化動作を行い、それ以外のサブフィールドの初期化期間では選択初期化動作を行う。
【０１３５】
シャッタ眼鏡４８の右目用シャッタ４９Ｒおよび左目用シャッタ４９Ｌは、タイミング信号出力部４６から出力されシャッタ眼鏡４８で受信されるシャッタ開閉用タイミング信号のオン・オフにもとづき、以下のようにシャッタの開閉動作が制御される。
【０１３６】
シャッタ眼鏡４８は、右目用フィールドＦＲ１のサブフィールドＳＦ１の書込み期間の開始に同期して右目用シャッタ４９Ｒを開き、左目用フィールドＦＬ１のサブフィールドＳＦ１の書込み期間の開始に同期して右目用シャッタ４９Ｒを閉じる。また、シャッタ眼鏡４８は、左目用フィールドＦＬ１のサブフィールドＳＦ１の書込み期間の開始に同期して左目用シャッタ４９Ｌを開き、右目用フィールドＦＲ２のサブフィールドＳＦ１の書込み期間の開始に同期して左目用シャッタ４９Ｌを閉じる。
【０１３７】
したがって、シャッタ眼鏡４８においては、右目用シャッタ４９Ｒが開いている期間は左目用シャッタ４９Ｌが閉じ、左目用シャッタ４９Ｌが開いている期間は右目用シャッタ４９Ｒが閉じる。
【０１３８】
そして、使用者は、パネル１０に表示される立体画像を、右目用フィールドおよび左目用フィールドに同期して右目用シャッタ４９Ｒおよび左目用シャッタ４９Ｌをそれぞれ独立に開閉するシャッタ眼鏡４８を通して観賞する。これにより、使用者は、右目用画像を右目だけで観測し、左目用画像を左目だけで観測することができるので、パネル１０に表示される立体画像を立体視することができる。
【０１３９】
本実施の形態では、立体画像信号をパネル１０に表示する際に、フィールドの最初に輝度重みの最も大きいサブフィールドを発生し、それ以降は輝度重みが順次小さくなるように各サブフィールドに輝度重みを設定し、フィールドの最後に輝度重みの最も小さいサブフィールドを発生している。すなわち、１フィールドを構成する各サブフィールドを、サブフィールドの時間的な発生順に輝度重みを順次小さくし、各サブフィールドの輝度重みを、時間的に後に発生するサブフィールドほど小さくしている。フィールドをこのように構成することにより、本実施の形態では、右目用画像から左目用画像への発光の漏れ込み、および左目用画像から右目用画像への発光の漏れ込み（以下、「クロストーク」と呼称する）を低減している。これにより、シャッタ眼鏡４８を通して立体画像を観賞する使用者に、品質の高い立体画像を提供することができる。以下にその理由について説明する。
【０１４０】
パネル１０で用いられている蛍光体層３５は、その蛍光体を形成する材料に依存した残光特性を有する。この残光とは、放電終了後も蛍光体が発光を持続する現象のことである。そして、残光の強さは、蛍光体の発光時の輝度に比例し、蛍光体が発光したときの輝度が高いほど、残光も強くなる。また、残光は、蛍光体の特性に応じた時定数で減衰し、時間の経過とともに徐々に輝度が低下する。そして、維持放電を終了した後も数ｍｓｅｃの間は残光が持続するという特性を有する蛍光体材料も存在する。また、蛍光体が発光したときの輝度が高いほど、残光が十分に減衰するまでに要する時間も長くなる。
【０１４１】
輝度重みが大きいサブフィールドで生じる発光は輝度重みが小さいサブフィールドで生じる発光よりも輝度が高い。したがって、輝度重みが大きいサブフィールドで生じた発光による残光は、輝度重みが小さいサブフィールドで生じた発光による残光よりも、輝度が高くなり、減衰に要する時間も長くなる。
【０１４２】
そのため、１フィールドの最終サブフィールドを輝度重みの大きいサブフィールドにすると、最終サブフィールドを輝度重みの小さいサブフィールドにするときと比較して、続くフィールドに漏れ込む残光が増加する。
【０１４３】
右目用フィールドと左目用フィールドとを交互に発生してパネル１０に立体画像を表示するプラズマディスプレイ装置４０においては、１つのフィールドで発生した残光が続くフィールドに漏れ込むと、その残光は、画像信号とは関係のない不要な発光として使用者に観測されることとなる。この現象がクロストークである。
【０１４４】
したがって、１つのフィールドから次のフィールドに漏れ込む残光が増加するほど、クロストークは悪化し、立体画像の立体視は阻害され、プラズマディスプレイ装置４０における画像表示品質は劣化する。なお、この画像表示品質とは、シャッタ眼鏡４８を通して立体画像を観賞する使用者にとっての画像表示品質のことである。
【０１４５】
１つのフィールドから次のフィールドに漏れ込む残光を弱め、クロストークを低減するためには、輝度重みの大きいサブフィールドを１フィールドの早い時期に発生して強い残光をできるだけ自フィールド内で収束させ、かつ１フィールドの最終サブフィールドを輝度重みの小さいサブフィールドにして次フィールドへの残光の漏れ込みをできるだけ低減すればよい。
【０１４６】
すなわち、立体画像信号をパネル１０に表示する際のクロストークを抑制するためには、フィールドの最初に輝度重みが最も大きいサブフィールドを発生し、以降、サブフィールドの発生順に輝度重みを小さくし、フィールドの最後のサブフィールドを輝度重みの最も小さいサブフィールドにして、次フィールドへの残光の漏れ込みをできるだけ低減することが望ましい。
【０１４７】
これが、１フィールドを構成する複数のサブフィールドにおいて、各サブフィールドの輝度重みを、時間的に後に発生するサブフィールドほど小さくなるように設定した理由である。なお、本実施の形態は、１フィールドを構成するサブフィールドの数や各サブフィールドの輝度重みが上記の値に限定されるものではない。例えば、サブフィールドＳＦ１を最も輝度重みの小さいサブフィールドとするとともにサブフィールドＳＦ２を最も輝度重みの大きいサブフィールドとし、サブフィールドＳＦ３以降、順次輝度重みを小さくし、フィールドの最後のサブフィールドを輝度重みが２番目に小さいサブフィールド、または、サブフィールドＳＦ１と同じ輝度重みのサブフィールドにする構成であってもよい。
【０１４８】
次に、本実施例において、立体画像信号をパネル１０に表示するときの階調の表示方法について説明する。以下、表示すべき階調値とそのときのサブフィールドの書込み動作の有無との関係を「コーディング」と記し、コーディングの集合体を「コーディングテーブル」と記す。
【０１４９】
なお、以下、１フィールドを５つのサブフィールドで構成し、サブフィールドＳＦ１〜サブフィールドＳＦ５の各サブフィールドにはそれぞれ（１６、８、４、２、１）の輝度重みが設定されているものとして説明を行う。
【０１５０】
本実施の形態においては、残光の時定数が大きい蛍光体（長残光蛍光体）を用いた放電セルと、残光の時定数が小さい蛍光体（短残光蛍光体）を用いた放電セルとでコーディングテーブルを変えている。この残光の時定数は、維持放電により発生する発光輝度の最大値を１００％としたときに、維持放電が終了した後、発光輝度が１０％に減衰するまでに要する時間として測定した値である。
【０１５１】
なお、本実施の形態では、例えば、残光の時定数が１ｍｓｅｃ未満の蛍光体を短残光蛍光体とし、残光の時定数が１ｍｓｅｃ以上の蛍光体を長残光蛍光体とする。そして、本実施の形態に示すパネル１０では、蛍光体層３５Ｇおよび蛍光体層３５Ｒには、残光の時定数が約２〜３ｍｓｅｃ程度の長残光蛍光体を用いており、蛍光体層３５Ｂには、残光の時定数が約０．１ｍｓｅｃ程度の短残光蛍光体を用いている。
【０１５２】
しかし、本発明は、長残光蛍光体と短残光蛍光体とを区別する残光の時定数が何ら上述した数値に限定されるものではなく、蛍光体層３５Ｒ、蛍光体層３５Ｇ、蛍光体層３５Ｂの各蛍光体層に用いる蛍光体も、何ら上述した残光の時定数の蛍光体に限定されるものではない。
【０１５３】
図６は、本発明の実施の形態１におけるプラズマディスプレイ装置４０において立体画像を表示する際に短残光蛍光体を用いた蛍光体層３５を有する放電セルに用いるコーディングテーブルの一例を示す図である。図６において、左端に示された数字は階調値を表し、各階調値の右側には、その階調値に対応した画像データを示す。この画像データは、各サブフィールドにおける書込み動作の有無を示すデータである。なお、図６には、書込み動作を行うことを「１」で示し、書込み動作を行わないことを「０」で示している。
【０１５４】
本実施の形態では、残光の時定数が比較的短い短残光蛍光体を用いた蛍光体層３５（例えば、蛍光体層３５Ｂ）を有する放電セルに階調を表示する際には、図６に示したコーディングテーブルを用いる。
【０１５５】
図６に示すコーディングテーブルにもとづけば、例えば、階調値「０」を表示する放電セルでは、サブフィールドＳＦ１〜サブフィールドＳＦ５の全てのサブフィールドで書込み動作を行わない。これにより、その放電セルでは一度も維持放電が発生せず、最も輝度の低い階調値「０」が表示される。また、例えば、階調値「１」を表示する放電セルでは、輝度重み「１」を持つサブフィールドであるサブフィールドＳＦ５でのみ書込み動作を行い、それ以外のサブフィールドでは書込み動作を行わない。これにより、その放電セルでは、輝度重み「１」に応じた回数の維持放電が発生し、階調値「１」に相当する明るさの発光が生じて階調値「１」を表示する。
【０１５６】
また、例えば、階調値「７」を表示する放電セルでは、輝度重み「４」のサブフィールドＳＦ３と、輝度重み「２」のサブフィールドＳＦ４と、輝度重み「１」のサブフィールドＳＦ５とで書込み動作を行い、それ以外のサブフィールドでは書込み動作を行わない。これにより、その放電セルでは輝度重み「７」に応じた回数の維持放電が発生し、階調値「７」に相当する明るさの発光が生じて階調値「７」を表示する。他の階調値についても同様に、図６に示すコーディングテーブルに従ってそれぞれのサブフィールドで書込み動作を制御する。
【０１５７】
次に、残光の時定数が比較的長い長残光蛍光体を用いた放電セルに階調を表示するときのコーディングテーブルについて、図７Ａ、図７Ｂ、図７Ｃを用いて説明する。
【０１５８】
図７Ａは、本発明の実施の形態１におけるプラズマディスプレイ装置４０において立体画像を表示する際に長残光蛍光体を用いた蛍光体層３５を有する放電セルに用いるコーディングテーブルの一例を示す図である。図７Ｂは、本発明の実施の形態１におけるプラズマディスプレイ装置４０において立体画像を表示する際に長残光蛍光体を用いた蛍光体層３５を有する放電セルに用いるコーディングテーブルの他の一例を示す図である。図７Ｃは、本発明の実施の形態１におけるプラズマディスプレイ装置４０において立体画像を表示する際に長残光蛍光体を用いた蛍光体層３５を有する放電セルに用いるコーディングテーブルのさらに他の一例を示す図である。
【０１５９】
図７Ａ、図７Ｂ、図７Ｃにおいて、左端に示された数字は階調値を表し、各階調値の右側には、その階調値に対応した画像データを示す。この画像データは、各サブフィールドにおける書込み動作の有無を示すデータである。図７Ａ、図７Ｂ、図７Ｃには、書込み動作を行うことを「１」で示し、書込み動作を行わないことを「０」で示している。
【０１６０】
図７Ａ、図７Ｂ、図７Ｃに示す各コーディングテーブルは、図６に示したコーディングテーブルと基本的には同じである。ただし、図７Ａ、図７Ｂ、図７Ｃに示すコーディングテーブルと、図６に示したコーディングテーブルとは次の点で異なる。すなわち、図７Ａ、図７Ｂ、図７Ｃに示すコーディングテーブルでは、閾値としてあらかじめ設定された階調値以上の階調値を表示するときには、フィールドの最終サブフィールド（本実施の形態では、サブフィールドＳＦ５）において、書込み動作を行わない。言い換えると、閾値となる階調値以上では、最終サブフィールドの書込み動作を禁止し、最終サブフィールドを非点灯とする。これをさらに言い換えると、閾値となる階調値以上では、最終サブフィールドが非点灯となる階調だけを表示用の階調として用いる。
【０１６１】
例えば、図７Ａに示すコーディングテーブルでは、階調値「１６」を閾値として設定する。したがって、閾値として設定された階調値「１６」以上の階調値を表示するときには、最終サブフィールドであるサブフィールドＳＦ５において、書込み動作を行わない。
【０１６２】
また、図７Ｂに示すコーディングテーブルでは、階調値「８」を閾値として設定する。したがって、閾値として設定された階調値「８」以上の階調値を表示するときには、最終サブフィールドであるサブフィールドＳＦ５において、書込み動作を行わない。
【０１６３】
また、図７Ｃに示すコーディングテーブルでは、階調値「４」を閾値として設定する。したがって、閾値として設定された階調値「４」以上の階調値を表示するときには、最終サブフィールドであるサブフィールドＳＦ５において、書込み動作を行わない。
【０１６４】
上述したように、１つのフィールドから次のフィールドに漏れ込む残光を弱め、クロストークを低減するためには、１フィールドの最終サブフィールドを輝度重みの小さいサブフィールドにして次フィールドへの残光の漏れ込みをできるだけ低減することが望ましい。
【０１６５】
そして、最終サブフィールドが発光しなければ、最終サブフィールドによる残光が発生せず、さらに、最終サブフィールドの間に、それ以前の発光で発生した残光が低減する。したがって、最終サブフィールドが発光しなければ、次フィールドへの残光の漏れ込みをさらに低減し、クロストークをさらに低減することができる。
【０１６６】
また、本実施の形態では、１フィールドの最終サブフィールドを輝度重みの最も小さいサブフィールドとしている。したがって、最終サブフィールドが表示画像に与える影響は他のサブフィールドと比較して小さく、最終サブフィールドを非点灯としても、表示画像に与える影響は比較的小さい。
【０１６７】
そして、残光の時定数が比較的長い長残光蛍光体を用いた放電セルでは、短残光蛍光体を用いた放電セルと比較して、クロストークが発生しやすい。これが、長残光蛍光体を用いた放電セルに階調を表示するときに、閾値として設定した階調値以上の階調値を表示するときに、フィールドの最終サブフィールドにおいて、書込み動作を行わないように設定されたコーディングテーブルを用いる理由である。
【０１６８】
なお、図７Ａに示したコーディングテーブルでは、閾値として設定された階調値「１６」以上の階調値ではサブフィールドＳＦ５が非点灯となる。そのため、例えば、階調値「１７」、階調値「１９」、階調値「２１」等の階調値がコーディングテーブルに設定されておらず、それらの階調値はパネル１０に表示できない。
【０１６９】
また、図７Ｂに示したコーディングテーブルでは、閾値として設定された階調値「８」以上の階調値ではサブフィールドＳＦ５が非点灯となる。そのため、図７Ａに示したコーディングテーブルで設定されていない階調値に加え、例えば、階調値「９」、階調値「１１」、階調値「１３」等の階調値がコーディングテーブルに設定されておらず、それらの階調値はパネル１０に表示できない。
【０１７０】
また、図７Ｃに示したコーディングテーブルでは、閾値として設定された階調値「４」以上の階調値ではサブフィールドＳＦ５が非点灯となる。そのため、図７Ｂに示したコーディングテーブルで設定されていない階調値に加え、例えば、階調値「５」、階調値「７」等の階調値がコーディングテーブルに設定されておらず、それらの階調値はパネル１０に表示できない。
【０１７１】
しかし、コーディングテーブルに設定されていないこれらの階調値は、例えば、一般に知られている誤差拡散法やディザ法を用いることで擬似的にパネル１０に表示することができる。
【０１７２】
ただし、コーディングテーブルに設定されていないこれらの階調値を、誤差拡散法やディザ法を用いて擬似的にパネル１０に表示すると、パネル１０に表示される画像に細かい粒子状のノイズが発生することがある。そして、この細かい粒子状のノイズは、コーディングテーブルに設定されていない階調値の数が増えるほど発生しやすい。そして、この細かい粒子状のノイズは、高階調の画像を表示するときよりも低階調の画像を表示するときの方が使用者に視認されやすい。したがって、この細かい粒子状のノイズは、図７Ａに示したコーディングテーブルを用いて画像を表示するときよりも図７Ｂに示したコーディングテーブルを用いて画像を表示するときの方が発生しやすく、図７Ｂに示したコーディングテーブルを用いて画像を表示するときよりも図７Ｃに示したコーディングテーブルを用いて画像を表示するときの方が発生しやすい。
【０１７３】
そこで、本実施の形態では、このノイズを低減するために、上述した閾値を適応的に変更する。すわなち、コーディングの対象となる放電セルに画像データを設定する際に、その放電セルに隣接する放電セルの画像信号の大きさ（信号レベルの大きさ）に応じて上述した閾値を変更し、その閾値が設定されたコーディングテーブルにもとづきその放電セルに画像データを設定する。
【０１７４】
図８は、本発明の実施の形態１におけるプラズマディスプレイ装置４０に用いる画像信号処理回路４１の一部を概略的に示す図である。
【０１７５】
画像信号処理回路４１は、階調値変換部５１Ｒ、階調値変換部５１Ｇ、階調値変換部５１Ｂと、基本コーディングテーブル５２Ｒ、基本コーディングテーブル５２Ｇ、基本コーディングテーブル５２Ｂと、データ変換部５３Ｒ、データ変換部５３Ｇ、データ変換部５３Ｂと、残像対策閾値判定部５４Ｒ、残像対策閾値判定部５４Ｇと、コーディングテーブル５５Ｒ、コーディングテーブル５５Ｇ、コーディングテーブル５５Ｂとを有する。
【０１７６】
階調値変換部５１Ｒ、階調値変換部５１Ｇ、階調値変換部５１Ｂは、入力される画像信号（立体画像信号であれば、右目用画像信号または左目用画像信号）の各原色信号を階調値に変換する。
【０１７７】
例えば、階調値変換部５１Ｒは、入力される原色信号ｓｉｇＲ（図８には、画像信号（Ｒ）と記す）に、パネル１０の画素数に応じた画素数変換やガンマ補正等の、パネル１０に画像を表示するために必要な画像処理を施す。そして、画像処理後の信号を、階調値を表す信号に変換して出力する。
【０１７８】
階調値変換部５１Ｇは、入力される原色信号ｓｉｇＧ（図８には、画像信号（Ｇ）と記す）に、パネル１０の画素数に応じた画素数変換やガンマ補正等の、パネル１０に画像を表示するために必要な画像処理を施す。そして、画像処理後の信号を、階調値を表す信号に変換して出力する。
【０１７９】
階調値変換部５１Ｂは、入力される原色信号ｓｉｇＢ（図８には、画像信号（Ｂ）と記す）に、パネル１０の画素数に応じた画素数変換やガンマ補正等の、パネル１０に画像を表示するために必要な画像処理を施す。そして、画像処理後の信号を、階調値を表す信号に変換して出力する。
【０１８０】
基本コーディングテーブル５２Ｒ、基本コーディングテーブル５２Ｇ、基本コーディングテーブル５２Ｂのそれぞれは、図６に示したコーディングテーブルを記憶している。すなわち、図６のコーディングテーブルに示した階調値と、各階調値に対応した画像データとを記憶している。
【０１８１】
本実施の形態に示すパネル１０には、蛍光体層３５Ｒが塗布された赤の放電セル（Ｒセル）、蛍光体層３５Ｇが塗布された緑の放電セル（Ｇセル）、蛍光体層３５Ｂが塗布された青の放電セル（Ｂセル）が、表示電極対２４が延伸する方向（行方向）に、Ｒセル、Ｇセル、Ｂセル、Ｒセル、Ｇセル、Ｂセル、Ｒセル、・・・、という順番で形成されている。また、Ｒセル、Ｇセル、Ｂセルで１つの画素が形成される。したがって、Ｒセルに隣接する放電セルは、Ｒセルが属する画素に隣接する画素のＢセルと、Ｒセルが属する画素と同じ画素のＧセルである。また、Ｇセルに隣接する放電セルは、Ｇセルが属する画素と同じ画素のＲセルとＢセルである。
【０１８２】
残像対策閾値判定部５４Ｇには、Ｇセルに隣接するＲセル用の階調値変換部５１Ｒから出力される階調値と、Ｇセルに隣接するＢセル用の階調値変換部５１Ｂから出力される階調値が入力される。そして、それぞれの階調値を、あらかじめ定めた２つの比較値と比較し、それぞれの階調値が、「高」、「中」、「低」のいずれであるかを判別する。そして、その判別結果に応じて、閾値を「低」、「中」、「高」のいずれかに決定する。
【０１８３】
残像対策閾値判定部５４Ｒには、Ｒセルに隣接するＢセル用の階調値変換部５１Ｂから出力される階調値と、Ｒセルに隣接するＧセル用の階調値変換部５１Ｇから出力される階調値が入力される。なお、階調値変換部５１Ｂから出力される階調値は、Ｒセルが属する画素に隣接する画素のＢセルにおける階調値である。そして、それぞれの階調値を、あらかじめ定めた２つの比較値と比較し、それぞれの階調値が、「高」、「中」、「低」のいずれであるかを判別する。そして、その判別結果に応じて、閾値を「低」、「中」、「高」のいずれかに決定する。
【０１８４】
なお、本実施の形態では、階調値の最大値を「３１」としたときに、残像対策閾値判定部５４Ｇにおいて、階調値との比較に用いる２つの比較値を、例えば、「８」、「１６」とする。そして、階調値が「８」未満であれば「低」と判別し、階調値が「８」以上「１６」未満であれば「中」と判別し、階調値が「１６」以上であれば「高」と判別する。しかし、これらの比較値は単なる一例に過ぎず、各比較値はパネル１０の特性やプラズマディスプレイ装置４０の仕様等に応じて適宜設定することが望ましい。
【０１８５】
残像対策閾値判定部５４Ｇは、階調値変換部５１Ｂから出力される階調値（Ｂセルに設定される階調値）、または階調値変換部５１Ｒから出力される階調値（Ｒセルに設定される階調値）が「低」であれば、上述の閾値を「高」に設定する。
【０１８６】
残像対策閾値判定部５４Ｇは、階調値変換部５１Ｂから出力される階調値（Ｂセルに設定される階調値）、または階調値変換部５１Ｒから出力される階調値（Ｒセルに設定される階調値）が「中」であれば、上述の閾値を「中」に設定する。
【０１８７】
残像対策閾値判定部５４Ｇは、階調値変換部５１Ｂから出力される階調値（Ｂセルに設定される階調値）、または階調値変換部５１Ｒから出力される階調値（Ｒセルに設定される階調値）が「高」であれば、上述の閾値を「低」に設定する。
【０１８８】
なお、残像対策閾値判定部５４Ｇは、入力される２つの階調値のうち、値の大きい方の判別結果にもとづき、閾値を設定する。したがって、残像対策閾値判定部５４Ｇは、２つの階調値がともに「低」であれば、上述の閾値を「高」に設定し、２つの階調値の少なくとも一方が「高」であれば、上述の閾値を「低」に設定し、２つの階調値がともに「中」であるか、もしくは、２つの階調値の一方が「中」であり、他方が「低」であれば、上述の閾値を「中」に設定する。
【０１８９】
残像対策閾値判定部５４Ｒも、残像対策閾値判定部５４Ｇと同様の動作を行う。
【０１９０】
コーディングテーブル５５Ｇは、基本コーディングテーブル５２Ｇに記憶されたコーディングテーブルと、残像対策閾値判定部５４Ｇにおける閾値の設定結果とにもとづき、Ｇセルに用いるコーディングテーブルを決定する。
【０１９１】
本実施の形態では、閾値を「高」に設定するときには、閾値となる階調値を「１６」とし、階調値「１６」以上の階調値を表示するときに、最終サブフィールドであるサブフィールドＳＦ５において書込み動作を行わないものとする。したがって、残像対策閾値判定部５４Ｇにおける閾値の設定結果が「高」であれば、コーディングテーブル５５Ｇにおけるコーディングテーブルは、図７Ａに示したコーディングテーブルとなる。
【０１９２】
また、本実施の形態では、閾値を「中」に設定するときには、閾値となる階調値を「８」とし、階調値「８」以上の階調値を表示するときに、最終サブフィールドであるサブフィールドＳＦ５において書込み動作を行わないものとする。したがって、残像対策閾値判定部５４Ｇにおける閾値の設定結果が「中」であれば、コーディングテーブル５５Ｇにおけるコーディングテーブルは、図７Ｂに示したコーディングテーブルとなる。
【０１９３】
また、本実施の形態では、閾値を「低」に設定するときには、閾値となる階調値を「４」とし、階調値「４」以上の階調値を表示するときに、最終サブフィールドであるサブフィールドＳＦ５において書込み動作を行わないものとする。したがって、残像対策閾値判定部５４Ｇにおける閾値の設定結果が「低」であれば、コーディングテーブル５５Ｇにおけるコーディングテーブルは、図７Ｃに示したコーディングテーブルとなる。
【０１９４】
コーディングテーブル５５Ｒも、コーディングテーブル５５Ｇと同様の動作を行う。そして、上述したように、本実施の形態に示すパネル１０では、Ｒセルにおける蛍光体層３５ＲおよびＧセルにおける蛍光体層３５Ｇには、残光の時定数が約２〜３ｍｓｅｃ程度の長残光蛍光体を用いている。したがって、図７Ａ、図７Ｂ、図７Ｃに示したコーディングテーブルは、長残光蛍光体を用いた蛍光体層を有する放電セルに用いるコーディングテーブルとなる。
【０１９５】
データ変換部５３Ｇは、階調値変換部５１Ｇから出力される階調値にもとづき、コーディングテーブル５５Ｇにおけるコーディングテーブル（図７Ａ、または図７Ｂ、または図７Ｃに示したコーディングテーブル）から、その階調値に対応する画像データを読み出し、画像データ（Ｇ）として出力する。
【０１９６】
データ変換部５３Ｒは、階調値変換部５１Ｒから出力される階調値にもとづき、コーディングテーブル５５Ｒにおけるコーディングテーブル（図７Ａ、または図７Ｂ、または図７Ｃに示したコーディングテーブル）から、その階調値に対応する画像データを読み出し、画像データ（Ｒ）として出力する。
【０１９７】
なお、上述したように、本実施の形態に示すパネル１０では、Ｂセルにおける蛍光体層３５Ｂには、残光の時定数が約０．１ｍｓｅｃ程度の短残光蛍光体を用いている。
【０１９８】
したがって、本実施の形態では、Ｂセルに用いるコーディングテーブルには閾値を設定せず、コーディングテーブル５５Ｂは、基本コーディングテーブル５２Ｂに記憶されたコーディングテーブルを、Ｂセルに用いるコーディングテーブルとする。そして、データ変換部５３Ｂは、階調値変換部５１Ｂから出力される階調値にもとづき、コーディングテーブル５５Ｂにおけるコーディングテーブル（図６に示したコーディングテーブル）から、その階調値に対応する画像データを読み出し、画像データ（Ｂ）として出力する。したがって、図６に示したコーディングテーブルは、短残光蛍光体を用いた蛍光体層を有する放電セルに用いるコーディングテーブルとなる。
【０１９９】
なお、図８には示していないが、画像信号処理回路４１は、コーディングテーブル５５Ｒ、コーディングテーブル５５Ｇ、コーディングテーブル５５Ｂに設定されていない階調値を、一般に知られている誤差拡散法やディザ法を用いてパネル１０に擬似的に表示するための回路を有する。
【０２００】
誤差拡散法やディザ法を用いて擬似的にパネル１０に表示するときには、隣接する放電セルの階調値が大きいほど、パネル１０に表示される画像に表れる細かい粒子状のノイズは目立ちにくくなる。したがって、そのようなときには、特定の階調値（閾値）の大きさを小さくして最終サブフィールドにおける書込み動作を禁止する階調の数を増やし、次フィールドに漏れ込む残光をより低減することができる。逆に、隣接する放電セルの階調値が小さければ、粒子状のノイズは目立ちやすくなるので、特定の階調値（閾値）の大きさを大きくし、表示に使用できる階調の数を増加させて、そのノイズの発生をできるだけ低減することが望ましい。
【０２０１】
そして、本実施の形態における画像信号処理回路４１では、上述した構成により、隣接する放電セルの階調値が大きければ、特定の階調値（閾値）の大きさを小さくし、隣接する放電セルの階調値が小さければ、特定の階調値（閾値）の大きさを大きくすることができる。
【０２０２】
以上示したように、本実施の形態におけるプラズマディスプレイ装置においては、立体画像信号をパネル１０に表示する際に、フィールドの最初に輝度重みの最も大きいサブフィールドを発生し、それ以降は輝度重みが順次小さくなるように各サブフィールドに輝度重みを設定し、フィールドの最後に輝度重みの最も小さいサブフィールドを発生する。これにより、右目用画像から左目用画像へのクロストーク、および左目用画像から右目用画像へのクロストークを低減することができる。
【０２０３】
また、本実施の形態におけるプラズマディスプレイ装置においては、立体画像信号をパネル１０に表示する際に、長残光蛍光体を用いた放電セルに関しては、特定の階調値（閾値）以上の階調値を表示するときに、フィールドの最終のサブフィールドの書込み動作を行わない。これにより、次のフィールドへ漏れ込む残光をさらに低減し、クロストークをさらに抑制することができる。
【０２０４】
そして、コーディングの対象となる放電セルに画像データを設定する際には、その放電セルに隣接する放電セルにおける画像信号の大きさ（信号レベルの大きさ）に応じて、上述した特定の階調値（閾値）の大きさを変更する。すなわち、隣接する放電セルにおける画像信号が大きければ、特定の階調値（閾値）の大きさを小さくし、隣接する放電セルにおける画像信号の大きさが小さければ、特定の階調値（閾値）の大きさを大きくする。これにより、誤差拡散法やディザ法を用いて擬似的にパネル１０に表示するときに、隣接する放電セルの階調値が大きく、粒子状のノイズが目立ちにくいときには、特定の階調値（閾値）の大きさを小さくして最終サブフィールドにおける書込み動作を禁止する階調の数を増やし、次フィールドに漏れ込む残光をより低減することができる。逆に、隣接する放電セルの階調値が小さく、粒子状のノイズが目立ちやすいときには、特定の階調値（閾値）の大きさを大きくし、表示に使用できる階調の数を増加させて、そのノイズの発生を低減することができる。
【０２０５】
これらのことにより、本実施の形態に示したプラズマディスプレイ装置においては、シャッタ眼鏡４８を通して立体画像を観賞する使用者に、品質の高い立体画像を提供することができる。
【０２０６】
なお、本実施の形態では、残像対策閾値判定部５４Ｒ、残像対策閾値判定部５４Ｇにおいて、Ｒセル、Ｇセルのそれぞれで両側に隣接する２つの放電セルの階調値を用いて閾値を決定する構成を説明したが、本発明は何らこの構成に限定されるものではない。例えば、Ｒセル、Ｇセルのそれぞれにおいて、片側に隣接する１つの放電セルの階調値を用いて閾値を決定する構成としてもよい。
【０２０７】
なお、本実施の形態では、１フィールドを構成する各サブフィールドを、サブフィールドの時間的な発生順に輝度重みを順次小さくし、時間的に後に発生するサブフィールドほど輝度重みを小さくする構成を説明したが、本発明は何らこの構成に限定されるものではない。例えば、サブフィールドの時間的な発生順と、輝度重みとの間に関連性が無くとも、最終サブフィールドで書込み動作を行わないコーディングテーブルを用いることで、クロストークを抑制する効果を得ることは可能である。
【０２０８】
なお、本実施の形態では、タイミング信号発生回路４５は、３Ｄ駆動時に、先頭サブフィールドの初期化期間は右目用シャッタおよび左目用シャッタがともに閉じた状態となるようにシャッタ開閉用タイミング信号を発生してもよい。
【０２０９】
なお、本実施の形態では、Ｂセルに画像データを設定する際に、基本コーディングテーブル５２Ｂに記憶されたコーディングテーブルをそのまま用いる構成を説明した。しかし、Ｂセルに画像データを設定する際に、例えば、隣接するＧセル、Ｒセルにおける階調値を考慮して、コーディングテーブルを設定する構成であってもよい。
【０２１０】
（実施の形態２）
本実施の形態に用いるパネル１０の構造、プラズマディスプレイ装置４０の各回路ブロックの動作、およびパネル１０の各電極に印加する駆動電圧波形の概要は実施の形態１と同様である。
【０２１１】
ただし、基本コーディングテーブル５２Ｒ、基本コーディングテーブル５２Ｇ、基本コーディングテーブル５２Ｂのそれぞれに記憶されるコーディングテーブルが、図６に示したコーディングテーブルとは異なる。
【０２１２】
図９は、本発明の実施の形態２におけるプラズマディスプレイ装置に用いるパネル１０の各電極に印加する駆動電圧波形およびシャッタ眼鏡の開閉動作を概略的に示す波形図である。
【０２１３】
図９には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。また、図９には、右目用シャッタ４９Ｒおよび左目用シャッタ４９Ｌの開閉動作を示す。
【０２１４】
図９に示す立体画像信号をパネル１０に表示する際の駆動電圧波形は、実施の形態１と同様に、フィールド周波数が１２０Ｈｚに設定され、１つのフィールドはサブフィールドＳＦ１からサブフィールドＳＦ５までの５つのサブフィールドで構成されている。
【０２１５】
ただし、本実施の形態に示すサブフィールドＳＦ１からサブフィールドＳＦ５までの各サブフィールドは、実施の形態１とは異なり、（１、１６、８、４、２）の輝度重みを有する。このように、本実施の形態では、フィールドの最初に発生するサブフィールドＳＦ１を輝度重みの最も小さいサブフィールドとし、２番目に発生するサブフィールドＳＦ２を輝度重みの最も大きいサブフィールドとし、それ以降は輝度重みが順次小さくなるように各サブフィールドに輝度重みを設定する。
【０２１６】
本実施の形態では、各フィールドをこのように構成することにより、右目用画像から左目用画像へのクロストーク、および左目用画像から右目用画像へのクロストークを低減するとともに、書込み動作を安定化している。以下にその理由について説明する。
【０２１７】
実施の形態１で説明したように、立体画像信号をパネル１０に表示する際のクロストークを抑制するためには、フィールドの初期に輝度重みが比較的大きいサブフィールドを発生し、以降、サブフィールドの発生順に輝度重みを小さくし、フィールドの最後のサブフィールドを輝度重みの比較的小さいサブフィールドにして、次フィールドへの残光の漏れ込みをできるだけ低減することが望ましい。
【０２１８】
一方、本実施の形態においては、サブフィールドＳＦ１を強制初期化サブフィールドとしている。したがって、サブフィールドＳＦ１の初期化期間では、全ての放電セルにおいて、初期化放電を発生し、書込み動作に必要な壁電荷およびプライミング粒子を発生することができる。
【０２１９】
しかしながら、サブフィールドＳＦ１の初期化期間において強制初期化動作によって発生した壁電荷およびプライミング粒子は、時間の経過とともに徐々に失われていく。そして、壁電荷およびプライミング粒子が不足すると、書込み動作が不安定になる。
【０２２０】
例えば、サブフィールドＳＦ１の強制初期化動作で初期化放電が発生した後、途中のサブフィールドでは書込み動作が行われず、最終サブフィールドでのみ書込み動作が行われるような放電セルでは、時間の経過とともに壁電荷およびプライミング粒子が徐々に失われ、最終サブフィールドにおける書込み動作が不安定になるおそれがある。
【０２２１】
しかし、壁電荷およびプライミング粒子は維持放電の発生により補充される。例えば、サブフィールドＳＦ１の維持期間で維持放電が発生した放電セルでは、その維持放電により壁電荷およびプライミング粒子が補充される。
【０２２２】
また、一般的に視聴される動画においては、輝度重みが比較的小さいサブフィールドの方が、輝度重みが比較的大きいサブフィールドよりも維持放電が発生する頻度が高いことが確認されている。
【０２２３】
そのため、３Ｄ駆動時において、輝度重みが最も大きいサブフィールドを先頭サブフィールドにすると、フィールドの最初のサブフィールドにおいて維持放電によって壁電荷およびプライミング粒子が補充される放電セルの数が減少する。また、輝度重みが大きいサブフィールドは、維持期間の長さも長くなる。そのため、後続のサブフィールドで書込み動作が不安定になるおそれがある。
【０２２４】
クロストークの低減と、１フィールドの最終サブフィールドにおける書込み動作の安定化とを両立するためには、各サブフィールドの輝度重みを、１フィールドのうち時間的に後に発生するサブフィールドほど小さくなるように設定して輝度重みの大きいサブフィールドを１フィールドの早い時期に発生させるとともに、フィールドの初期に維持放電を発生して壁電荷およびプライミング粒子を補充することができるサブフィールド構成にすることが望ましい。
【０２２５】
そこで、本実施の形態では、サブフィールドＳＦ１を輝度重みの最も小さいサブフィールドとする。したがって、サブフィールドＳＦ１の維持期間に維持放電が発生する確率を高めることができる。そして、サブフィールドＳＦ２を輝度重みの最も大きいサブフィールドとし、サブフィールドＳＦ３以降の各サブフィールドは輝度重みを順次小さくする構成とする。
【０２２６】
これにより、次フィールドへの残光の漏れ込みを低減してクロストークを低減するとともに、サブフィールドＳＦ１の維持期間に発生する維持放電によって壁電荷およびプライミング粒子を放電セル内に補充する放電セルの数を増加し、後続のサブフィールドにおける書込み動作の安定化を図ることが可能となる。
【０２２７】
図１０は、本発明の実施の形態２におけるプラズマディスプレイ装置において立体画像を表示する際に短残光蛍光体を用いた蛍光体層を有する放電セルに用いるコーディングテーブルの一例を示す図である。図１０において、左端に示された数字は階調値を表し、各階調値の右側には、その階調値に対応した画像データを示す。この画像データは、各サブフィールドにおける書込み動作の有無を示すデータであり、書込み動作を行うことを「１」で示し、書込み動作を行わないことを「０」で示している。
【０２２８】
図１０に示すように、本実施の形態では、フィールドをサブフィールドＳＦ１からサブフィールドＳＦ５までの５つのサブフィールドで構成し、各サブフィールドは、（１、１６、８、４、２）の輝度重みを有する。したがって、図１０に示すコーディングテーブルと、実施の形態１において図６に示したコーディングテーブルとは、輝度重み１のサブフィールドの発生位置が異なるだけであり、階調「０」から階調「３１」までが５つのサブフィールドの発光・非発光の組合せで表示される点は同じである。
【０２２９】
図１１は、本発明の実施の形態１におけるプラズマディスプレイ装置において立体画像を表示する際に長残光蛍光体を用いた蛍光体層を有する放電セルに用いるコーディングテーブルの一例を示す図である。図１１において、左端に示された数字は階調値を表し、各階調値の右側には、その階調値に対応した画像データを示す。この画像データは、各サブフィールドにおける書込み動作の有無を示すデータであり、書込み動作を行うことを「１」で示し、書込み動作を行わないことを「０」で示している。
【０２３０】
図１１には、実施の形態１において図７Ａに示したコーディングテーブルと同様に、階調値「１６」を閾値として設定したときのコーディングテーブルを示す。したがって、図１１に示すコーディングテーブルでは、閾値として設定された階調値「１６」以上の階調値を表示するときには、最終サブフィールドであるサブフィールドＳＦ５において、書込み動作を行わない。
【０２３１】
ただし、本実施の形態において、サブフィールドＳＦ５の輝度重みは「２」である。したがって、階調値「１６」を閾値として設定していても、表示に用いることができない階調値が図７Ａに示したコーディングテーブルとは一部異なる。例えば、図７Ａに示したコーディングテーブルでは階調値「１７」、階調値「１９」、階調値「２１」等の階調値がコーディングテーブルに設定されていないが、図１１に示したコーディングテーブルでは階調値「１８」、階調値「１９」、階調値「２２」等の階調値がコーディングテーブルに設定されていない。
【０２３２】
しかし、図１１に示したコーディングテーブルを用いることで、実施の形態１と同様に、次フィールドに漏れ込む残光を低減し、クロストークを抑制する効果を高めることができる。
【０２３３】
以上示したように、本実施の形態では、サブフィールドＳＦ１を輝度重みの最も小さいサブフィールドとし、サブフィールドＳＦ２を輝度重みの最も大きいサブフィールドとし、サブフィールドＳＦ３以降の各サブフィールドは輝度重みを順次小さくする構成とする。
【０２３４】
これにより、次フィールドへの残光の漏れ込みを低減してクロストークを低減するとともに、サブフィールドＳＦ１の維持期間に発生する維持放電によって壁電荷およびプライミング粒子を放電セル内に補充する放電セルの数を増加し、後続のサブフィールドにおける書込み動作の安定化を図ることが可能となる。
【０２３５】
さらに、実施の形態１と同様に、特定の階調値（閾値）以上の階調値を表示するときに、フィールドの最終のサブフィールドの書込み動作を行わないことにより、次のフィールドへ漏れ込む残光をさらに低減し、クロストークをさらに抑制することができる。
【０２３６】
なお、プラズマディスプレイ装置４０に用いるコーディングおよびパネル１０に表示する階調値は、何ら図６、図７Ａ、図７Ｂ、図７Ｃ、図１０、図１１に示すコーディングに限定されるものではない。パネル１０にどのような階調値を表示し、各サブフィールドの発光、非発光をどのように組み合わせるかは、プラズマディスプレイ装置４０の仕様等にあわせて設定すればよい。
【０２３７】
なお、実施の形態１、実施の形態２においては、１つのフィールドを５つのサブフィールドで構成する例を説明した。しかし、本発明は１フィールドを構成するサブフィールドの数が何ら上記の数に限定されるものではない。例えば、サブフィールドの数を５よりも多くすることで、パネル１０に表示できる階調の数をさらに増加することができる。
【０２３８】
また、実施の形態１、実施の形態２においては、サブフィールドの輝度重みを「２」のべき乗とし、サブフィールドＳＦ１〜サブフィールドＳＦ５の各サブフィールドの輝度重みを実施の形態１では（１６、８、４、２、１）に設定し、実施の形態２では（１、１６、８、４、２）に設定する例を説明した。しかし、各サブフィールドに設定する輝度重みは、何ら上記の数値に限定されるものではない。例えば、各サブフィールドの輝度重みを（１２、７、３、２、１）や（１、１２、７、３、２）等として階調を決めるサブフィールドの組合せに冗長性を持たせることにより、動画擬似輪郭の発生を抑制したコーディングが可能となる。１フィールドを構成するサブフィールドの数や、各サブフィールドの輝度重み等は、パネル１０の特性やプラズマディスプレイ装置４０の仕様等に応じて適宜設定すればよい。
【０２３９】
なお、本実施の形態では、蛍光体層３５Ｒおよび蛍光体層３５Ｇには時定数２〜３ｍｓｅｃ程度の長残光蛍光体を用い、蛍光体層３５Ｂには時定数０．１ｍｓｅｃ程度の短残光蛍光体用いる構成を説明した。そして、原色信号ｓｉｇＲ、原色信号ｓｉｇＧに対しては長残光蛍光体用のコーディングテーブルを用い、原色信号ｓｉｇＢに対しては短残光蛍光体用のコーディングテーブルを用いる構成を説明した。しかし、本発明は何らこの構成に限定されるものではない。例えば、蛍光体層３５Ｇおよび蛍光体層３５Ｂに長残光蛍光体を用い、蛍光体層３５Ｒに短残光蛍光体用いる構成であってもよい。あるいは、蛍光体層３５Ｒおよび蛍光体層３５Ｂに長残光蛍光体を用い、蛍光体層３５Ｇに短残光蛍光体用いる構成であってもよい。あるいは、蛍光体層３５Ｒ、蛍光体層３５Ｇ、蛍光体層３５Ｂのいずれか１つに長残光蛍光体を用い、残りの２つに短残光蛍光体用いる構成であってもよい。ただし、いずれの場合においても、長残光蛍光体を用いた放電セルに対応する原色信号には、特定の階調値（閾値）以上の階調値を表示するときに、フィールドの最終のサブフィールドの書込み動作を行わない長残光蛍光体用のコーディングテーブルを用い、短残光蛍光体を用いた放電セルに対応する原色信号には、短残光蛍光体用のコーディングテーブルを用いるものとする。
【０２４０】
なお、図４、図５、図９に示した駆動電圧波形は本発明の実施の形態における一例を示したものに過ぎず、本発明は何らこれらの駆動電圧波形に限定されるものではない。また、図３、図８に示した回路構成も本発明の実施の形態における一例を示したものに過ぎず、本発明は何らこの回路構成に限定されるものではない。
【０２４１】
なお、図５、図９には、サブフィールドＳＦ５の終了後からサブフィールドＳＦ１の開始前までの間に、下り傾斜波形電圧を発生して走査電極ＳＣ１〜走査電極ＳＣｎに印加するとともに、電圧Ｖｅ１を維持電極ＳＵ１〜維持電極ＳＵｎに印加する例を示したが、これらの電圧は発生せずともよい。例えば、サブフィールドＳＦ５の終了後からサブフィールドＳＦ１の開始前までの間は、走査電極ＳＣ１〜走査電極ＳＣｎ、維持電極ＳＵ１〜維持電極ＳＵｎ、データ電極Ｄ１〜データ電極Ｄｍをともに０（Ｖ）に保持する構成であってもよい。
【０２４２】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０２４３】
なお、本実施の形態では、１画素をＲ、Ｇ、Ｂの３色の放電セルで構成する例を説明したが、１画素を４色あるいはそれ以上の色の放電セルで構成するパネルにおいても、本実施の形態に示した構成を適用することは可能であり、同様の効果を得ることができる。
【０２４４】
なお、本発明の実施の形態において示した具体的な数値は、画面サイズが５０インチ、表示電極対２４の数が１０２４のパネル１０の特性にもとづき設定したものであって、単に実施の形態における一例を示したものに過ぎない。本発明はこれらの数値に何ら限定されるものではなく、各数値はパネルの特性やプラズマディスプレイ装置の仕様等にあわせて最適に設定することが望ましい。また、これらの各数値は、上述した効果を得られる範囲でのばらつきを許容するものとする。また、１フィールドを構成するサブフィールドの数や各サブフィールドの輝度重み等も本発明における実施の形態に示した値に限定されるものではなく、また、画像信号等にもとづいてサブフィールド構成を切り換える構成であってもよい。
【産業上の利用可能性】
【０２４５】
本発明は、立体画像表示装置として使用可能なプラズマディスプレイ装置において、シャッタ眼鏡を通して表示画像を観賞する使用者に対して右目用画像と左目用画像との間に生じるクロストークを低減し、品質の高い立体画像を実現することができるので、プラズマディスプレイ装置の駆動方法、プラズマディスプレイ装置、およびプラズマディスプレイシステムとして有用である。
【符号の説明】
【０２４６】
１０    パネル
２１    前面基板
２２    走査電極
２３    維持電極
２４    表示電極対
２５，３３    誘電体層
２６    保護層
３１    背面基板
３２    データ電極
３４    隔壁
３５，３５Ｒ，３５Ｇ，３５Ｂ    蛍光体層
４０    プラズマディスプレイ装置
４１    画像信号処理回路
４２    データ電極駆動回路
４３    走査電極駆動回路
４４    維持電極駆動回路
４５    タイミング信号発生回路
４６    タイミング信号出力部
４８    シャッタ眼鏡
４９Ｒ    右目用シャッタ
４９Ｌ    左目用シャッタ
５１Ｒ，５１Ｇ，５１Ｂ    階調値変換部
５２Ｒ，５２Ｇ，５２Ｂ    基本コーディングテーブル
５３Ｒ，５３Ｇ，５３Ｂ    データ変換部
５４Ｒ，５４Ｇ    残像対策閾値判定部
５５Ｒ，５５Ｇ，５５Ｂ    コーディングテーブル
【図１】
2011132430.tif 000003
【図２】
2011132430.tif 000004
【図３】
2011132430.tif 000005
【図４】
2011132430.tif 000006
【図５】
2011132430.tif 000007
【図６】
2011132430.tif 000008
【図７Ａ】
2011132430.tif 000009
【図７Ｂ】
2011132430.tif 000010
【図７Ｃ】
2011132430.tif 000011
【図８】
2011132430.tif 000012
【図９】
2011132430.tif 000013
【図１０】
2011132430.tif 000014
【図１１】
2011132430.tif 000015
【手続補正書】
【提出日】平成24年3月12日(2012.3.12)
【手続補正１】
【補正対象書類名】明細書
【補正対象項目名】００１６
【補正方法】変更
【補正の内容】
【００１６】
このような方法によってパネルに表示される立体画像を立体視するためには、使用者は、右目では右目用画像だけを見て、左目では左目用画像だけを見る必要がある。そのために、使用者は、シャッタ眼鏡と呼ばれる特殊な眼鏡を用いて、パネルに表示される立体画像を観賞する。
【手続補正２】
【補正対象書類名】明細書
【補正対象項目名】０２２９
【補正方法】変更
【補正の内容】
【０２２９】
図１１は、本発明の実施の形態２におけるプラズマディスプレイ装置において立体画像を表示する際に長残光蛍光体を用いた蛍光体層を有する放電セルに用いるコーディングテーブルの一例を示す図である。図１１において、左端に示された数字は階調値を表し、各階調値の右側には、その階調値に対応した画像データを示す。この画像データは、各サブフィールドにおける書込み動作の有無を示すデータであり、書込み動作を行うことを「１」で示し、書込み動作を行わないことを「０」で示している。
【手続補正３】
【補正対象書類名】図面
【補正対象項目名】図３
【補正方法】変更
【補正の内容】
【図３】
2011132430.tif 000016
【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
走査電極と維持電極とデータ電極とを有する放電セルを複数配列したプラズマディスプレイパネルと、
前記プラズマディスプレイパネルを駆動する駆動回路とを備え、
画像信号に応じて前記放電セルに書込み放電を発生する書込み動作を行う書込み期間と、前記書込み放電を発生した放電セルに輝度重みに応じた数の維持放電を発生する維持期間とを有するサブフィールドを複数用いて１フィールドを構成し、右目用画像信号および左目用画像信号を有する画像信号にもとづき前記右目用画像信号を表示する右目用フィールドと前記左目用画像信号を表示する左目用フィールドとを交互に繰り返して前記プラズマディスプレイパネルに画像を表示するプラズマディスプレイ装置の駆動方法であって、
あらかじめ定められた閾値以上の階調を表示する放電セルには、前記右目用フィールドおよび前記左目用フィールドの最後に発生するサブフィールドの前記書込み期間では前記書込み放電を発生させないことを特徴とするプラズマディスプレイ装置の駆動方法。
【請求項２】
前記閾値は、前記放電セルに隣接する放電セルにおける画像信号の大きさに応じて変更し、
前記隣接する放電セルにおける画像信号の大きさが大きいほど、前記閾値を小さくすることを特徴とする請求項１に記載のプラズマディスプレイ装置の駆動方法。
【請求項３】
前記右目用フィールドおよび前記左目用フィールドにおいては、それぞれのフィールドの最初に発生するサブフィールドを輝度重みの最も大きいサブフィールドとし、２番目以降に発生するサブフィールドは輝度重みが順次小さくなるように各サブフィールドに輝度重みを設定し、フィールドの最後に発生するサブフィールドを最も輝度重みが小さいサブフィールドとすることを特徴とする請求項１に記載のプラズマディスプレイ装置の駆動方法。
【請求項４】
前記右目用フィールドおよび前記左目用フィールドにおいては、それぞれのフィールドの最初に発生するサブフィールドを輝度重みの最も小さいサブフィールドとし、２番目に発生するサブフィールドを輝度重みの最も大きいサブフィールドとし、３番目以降に発生するサブフィールドは輝度重みが順次小さくなるように各サブフィールドに輝度重みを設定することを特徴とする請求項１に記載のプラズマディスプレイ装置の駆動方法。
【請求項５】
走査電極と維持電極とデータ電極とを有する放電セルを複数配列したプラズマディスプレイパネルと、
前記プラズマディスプレイパネルを駆動する駆動回路とを備え、
前記駆動回路は、画像信号に応じて前記放電セルに書込み放電を発生する書込み動作を行う書込み期間と、前記書込み放電を発生した放電セルに輝度重みに応じた数の維持放電を発生する維持期間とを有するサブフィールドを複数用いて１フィールドを構成し、右目用画像信号および左目用画像信号を有する画像信号にもとづき前記右目用画像信号を表示する右目用フィールドと前記左目用画像信号を表示する左目用フィールドとを交互に繰り返して前記プラズマディスプレイパネルに画像を表示し、
あらかじめ定められた閾値以上の階調を表示する放電セルには、前記右目用フィールドおよび前記左目用フィールドの最後に発生するサブフィールドの前記書込み期間では前記書込み放電を発生させないことを特徴とするプラズマディスプレイ装置。
【請求項６】
走査電極と維持電極とデータ電極とを有する放電セルを複数配列したプラズマディスプレイパネルと、右目用フィールドおよび左目用フィールドに同期したシャッタ開閉用タイミング信号を出力するタイミング信号出力部を備え、前記プラズマディスプレイパネルを駆動する駆動回路とを有するプラズマディスプレイ装置と、
それぞれ独立にシャッタの開閉が可能な右目用シャッタおよび左目用シャッタを有し、前記シャッタ開閉用タイミング信号でシャッタの開閉が制御されるシャッタ眼鏡とを備えたプラズマディスプレイシステムであって、
前記駆動回路は、画像信号に応じて前記放電セルに書込み放電を発生する書込み動作を行う書込み期間と、前記書込み放電を発生した放電セルに輝度重みに応じた数の維持放電を発生する維持期間とを有するサブフィールドを複数用いて１フィールドを構成し、右目用画像信号および左目用画像信号を有する画像信号にもとづき前記右目用画像信号を表示する右目用フィールドと前記左目用画像信号を表示する左目用フィールドとを交互に繰り返して前記プラズマディスプレイパネルに画像を表示し、
あらかじめ定められた閾値以上の階調を表示する放電セルには、前記右目用フィールドおよび前記左目用フィールドの最後に発生するサブフィールドの前記書込み期間では前記書込み放電を発生させないことを特徴とするプラズマディスプレイシステム。
【手続補正書】
【提出日】平成25年3月8日(2013.3.8)
【手続補正１】
【補正対象書類名】特許請求の範囲
【補正対象項目名】全文
【補正方法】変更
【補正の内容】
【特許請求の範囲】
【請求項１】
走査電極と維持電極とデータ電極とを有する放電セルを複数配列したプラズマディスプレイパネルと、
前記プラズマディスプレイパネルを駆動する駆動回路とを備え、
画像信号に応じて前記放電セルに書込み放電を発生する書込み動作を行う書込み期間と、前記書込み放電を発生した放電セルに輝度重みに応じた数の維持放電を発生する維持期間とを有するサブフィールドを複数用いて１フィールドを構成し、右目用画像信号および左目用画像信号を有する画像信号にもとづき前記右目用画像信号を表示する右目用フィールドと前記左目用画像信号を表示する左目用フィールドとを交互に繰り返して前記プラズマディスプレイパネルに画像を表示するプラズマディスプレイ装置の駆動方法であって、
あらかじめ定められた閾値以上の階調を表示する放電セルには、前記右目用フィールドおよび前記左目用フィールドの最後に発生するサブフィールドの前記書込み期間では前記書込み放電を発生させず、前記閾値より小さい階調を表示する放電セルには、前記階調を表示するのに必要な場合に、前記右目用フィールドおよび前記左目用フィールドの最後に発生するサブフィールドの前記書込み期間では前記書込み放電を発生させることを特徴とするプラズマディスプレイ装置の駆動方法。
【請求項２】
前記閾値は、前記放電セルに隣接する放電セルにおける画像信号の大きさに応じて変更し、
前記隣接する放電セルにおける画像信号の大きさが大きいほど、前記閾値を小さくすることを特徴とする請求項１に記載のプラズマディスプレイ装置の駆動方法。
【請求項３】
前記右目用フィールドおよび前記左目用フィールドにおいては、それぞれのフィールドの最初に発生するサブフィールドを輝度重みの最も大きいサブフィールドとし、２番目以降に発生するサブフィールドは輝度重みが順次小さくなるように各サブフィールドに輝度重みを設定し、フィールドの最後に発生するサブフィールドを最も輝度重みが小さいサブフィールドとすることを特徴とする請求項１に記載のプラズマディスプレイ装置の駆動方法。
【請求項４】
前記右目用フィールドおよび前記左目用フィールドにおいては、それぞれのフィールドの最初に発生するサブフィールドを輝度重みの最も小さいサブフィールドとし、２番目に発生するサブフィールドを輝度重みの最も大きいサブフィールドとし、３番目以降に発生するサブフィールドは輝度重みが順次小さくなるように各サブフィールドに輝度重みを設定することを特徴とする請求項１に記載のプラズマディスプレイ装置の駆動方法。
【請求項５】
走査電極と維持電極とデータ電極とを有する放電セルを複数配列したプラズマディスプレイパネルと、
前記プラズマディスプレイパネルを駆動する駆動回路とを備え、
前記駆動回路は、画像信号に応じて前記放電セルに書込み放電を発生する書込み動作を行う書込み期間と、前記書込み放電を発生した放電セルに輝度重みに応じた数の維持放電を発生する維持期間とを有するサブフィールドを複数用いて１フィールドを構成し、右目用画像信号および左目用画像信号を有する画像信号にもとづき前記右目用画像信号を表示する右目用フィールドと前記左目用画像信号を表示する左目用フィールドとを交互に繰り返して前記プラズマディスプレイパネルに画像を表示し、
あらかじめ定められた閾値以上の階調を表示する放電セルには、前記右目用フィールドおよび前記左目用フィールドの最後に発生するサブフィールドの前記書込み期間では前記書込み放電を発生させず、前記閾値より小さい階調を表示する放電セルには、前記階調を表示するのに必要な場合に、前記右目用フィールドおよび前記左目用フィールドの最後に発生するサブフィールドの前記書込み期間では前記書込み放電を発生させることを特徴とするプラズマディスプレイ装置。
【請求項６】
走査電極と維持電極とデータ電極とを有する放電セルを複数配列したプラズマディスプレイパネルと、右目用フィールドおよび左目用フィールドに同期したシャッタ開閉用タイミング信号を出力するタイミング信号出力部を備え、前記プラズマディスプレイパネルを駆動する駆動回路とを有するプラズマディスプレイ装置と、
それぞれ独立にシャッタの開閉が可能な右目用シャッタおよび左目用シャッタを有し、前記シャッタ開閉用タイミング信号でシャッタの開閉が制御されるシャッタ眼鏡とを備えたプラズマディスプレイシステムであって、
前記駆動回路は、画像信号に応じて前記放電セルに書込み放電を発生する書込み動作を行う書込み期間と、前記書込み放電を発生した放電セルに輝度重みに応じた数の維持放電を発生する維持期間とを有するサブフィールドを複数用いて１フィールドを構成し、右目用画像信号および左目用画像信号を有する画像信号にもとづき前記右目用画像信号を表示する右目用フィールドと前記左目用画像信号を表示する左目用フィールドとを交互に繰り返して前記プラズマディスプレイパネルに画像を表示し、
あらかじめ定められた閾値以上の階調を表示する放電セルには、前記右目用フィールドおよび前記左目用フィールドの最後に発生するサブフィールドの前記書込み期間では前記書込み放電を発生させず、前記閾値より小さい階調を表示する放電セルには、前記階調を表示するのに必要な場合に、前記右目用フィールドおよび前記左目用フィールドの最後に発生するサブフィールドの前記書込み期間では前記書込み放電を発生させることを特徴とするプラズマディスプレイシステム。
【国際調査報告】
2011132430.tif 000017
2011132430.tif 000018
2011132430.tif 000019
2011132430.tif 000020